(57)【要約】  本発明は、Ｄ２Ｄ通信品質を向上させることができるＤ２Ｄ通信の伝送リソースを確定するための方法及び装置を開示する。該方法は、複数の伝送リソースセットを確定することと、第１端末デバイスの現在の位置情報及び該複数の伝送リソースセットの距離閾値に基づいて、該複数の伝送リソースセットから該第１端末デバイスがＤ２Ｄ通信を行うターゲット伝送リソースセットを確定することと、を含み、ここで、該複数の伝送リソースセットの各伝送リソースセットは、少なくとも１つの伝送リソースブロックを含み、しかも各伝送リソースセットは、対応する距離閾値を有する。
2019512905.tif 000002
【特許請求の範囲】
【請求項１】
デバイスツーデバイスＤ２Ｄ通信の伝送リソースを確定するための方法であって、
複数の伝送リソースセットを確定することと、
第１端末デバイスの現在の位置情報及び前記複数の伝送リソースセットの距離閾値に基づいて、前記複数の伝送リソースセットから、前記第１端末デバイスがＤ２Ｄ通信を行うターゲット伝送リソースセットを確定することと、を含み、
ここで、前記複数の伝送リソースセットの各伝送リソースセットは、少なくとも１つの伝送リソースブロックを含み、しかも各伝送リソースセットは、対応する距離閾値を有する、方法。
【請求項２】
前記複数の伝送リソースセットの各伝送リソースセットは、対応する相対運動速度閾値を更に有し、
前記第１端末デバイスの現在の位置情報及び前記複数の伝送リソースセットの距離閾値に基づいて、前記複数の伝送リソースセットから、前記第１端末デバイスがＤ２Ｄ通信を行うターゲット伝送リソースセットを確定することは、
第１端末デバイスの現在の位置情報と運動速度情報、及び前記複数の伝送リソースセットの距離閾値と相対運動速度閾値に基づいて、前記複数の伝送リソースセットから、前記第１端末デバイスがＤ２Ｄ通信を行うターゲット伝送リソースセットを確定することを含む、
請求項１に記載の方法。
【請求項３】
前記第１端末デバイスの現在の位置情報と運動速度情報、及び前記複数の伝送リソースセットの距離閾値と相対運動速度閾値に基づいて、前記複数の伝送リソースセットから、前記第１端末デバイスがＤ２Ｄ通信を行うターゲット伝送リソースセットを確定することは、
第１伝送リソースセットに対応する少なくとも１つの第２端末デバイスの各第２端末デバイスの位置情報及び運動速度情報を取得することと、
前記第１端末デバイスの現在の位置情報及び前記少なくとも１つの第２端末デバイスの各第２端末デバイスの位置情報に基づいて、前記第１端末デバイスと前記少なくとも１つの第２端末デバイスとの間の距離統計情報を確定することと、
前記第１端末デバイスの現在の運動速度情報及び前記少なくとも１つの第２端末デバイスの各第２端末デバイスの運動速度情報に基づいて、前記第１端末デバイスと前記少なくとも１つの第２端末デバイスとの間の相対運動速度統計情報を確定することと、
前記第１端末デバイスと前記少なくとも１つの第２端末デバイスとの間の距離統計情報と相対運動速度統計情報、及び前記第１伝送リソースセットの距離閾値と相対運動速度閾値に基づいて、前記第１端末デバイスが現在、前記第１伝送リソースセットの伝送リソースを利用してＤ２Ｄ通信を行うことができるかどうかを確定することと、を含み、
前記少なくとも１つの第２端末デバイスの各第２端末デバイスが現在、第１伝送リソースセットの伝送リソースを使用してＤ２Ｄ通信を行い、前記複数の伝送リソースセットは、前記第１伝送リソースセットを含み、
前記距離統計情報は、最大距離、平均距離及び距離平均分散のうちの少なくとも１つを含み、
前記相対運動速度統計情報は、最大相対運動速度、平均相対運動速度及び相対運動速度平均分散のうちの少なくとも１つを含む、
請求項２に記載の方法。
【請求項４】
前記距離統計情報は、最大距離を含み、前記相対運動速度統計情報は、最大相対運動速度を含み、
前記第１端末デバイスと前記少なくとも１つの第２端末デバイスとの間の距離統計情報と相対運動速度統計情報、及び前記第１伝送リソースセットの距離閾値と相対運動速度閾値に基づいて、前記第１端末デバイスが現在、前記第１伝送リソースセットの伝送リソースを利用してＤ２Ｄ通信を行うことができるかどうかを確定することは、
前記第１端末デバイスと前記少なくとも１つの第２端末デバイスとの間の最大距離が前記第１伝送リソースセットの距離閾値の以下であり、しかも前記第１端末デバイスと前記少なくとも１つの第２端末デバイスとの間の最大相対運動速度が前記第１伝送リソースセットの相対運動速度閾値の以下である場合、前記第１端末デバイスが現在、前記第１伝送リソースセットの伝送リソースを利用してＤ２Ｄ通信を行うことができると確定することを含む、
請求項３に記載の方法。
【請求項５】
前記第１端末デバイスの現在の位置情報と運動速度情報、及び前記複数の伝送リソースセットの距離閾値と相対運動速度閾値に基づいて、前記複数の伝送リソースセットから、前記第１端末デバイスがＤ２Ｄ通信を行うターゲット伝送リソースセットを確定することは、さらに、
前記第１端末デバイスが現在、前記複数の伝送リソースセットの各伝送リソースセットの相対運動速度閾値を満たさないと確定した場合、少なくとも１つの伝送リソースセット候補のうちの最大相対運動速度が最小である伝送リソースセットを前記第１端末デバイスのターゲット伝送リソースセットとして確定することを含み、
ここで、前記複数の伝送リソースセットは、前記少なくとも１つの伝送リソースセット候補を含み、前記第１端末デバイスが現在、前記少なくとも１つの伝送リソースセット候補の各伝送リソースセット候補の距離閾値を満たし、各伝送リソースセット候補に対応する最大相対運動速度は、前記第１端末デバイスと現在、前記各伝送リソースセット候補の伝送リソースを使用してＤ２Ｄ通信を行う少なくとも１つの第３端末デバイスとの間の最大相対運動速度である、
請求項４に記載の方法。
【請求項６】
前記第１端末デバイスの現在の運動速度情報及び前記少なくとも１つの第２端末デバイスの各第２端末デバイスの運動速度情報に基づいて、前記第１端末デバイスと前記少なくとも１つの第２端末デバイスとの間の相対運動速度統計情報を確定することは、
前記第１端末デバイスと前記少なくとも１つの第２端末デバイスとの間の距離統計情報が前記第１伝送リソースセットの距離閾値を満たす場合、前記第１端末デバイスの現在の運動速度情報及び前記少なくとも１つの第２端末デバイスの各第２端末デバイスの運動速度情報に基づいて、前記第１端末デバイスと前記少なくとも１つの第２端末デバイスとの間の相対運動速度統計情報を確定することを含む、
請求項３乃至５のいずれか１項に記載の方法。
【請求項７】
前記少なくとも１つの第２端末デバイスは、現在、前記第１伝送リソースセットの伝送リソースを利用してＤ２Ｄを行う全ての端末デバイスである、
請求項３乃至６のいずれか１項に記載の方法。
【請求項８】
前記少なくとも１つの第２端末デバイスは、現在、前記第１伝送リソースセットの伝送リソースを使用してＤ２Ｄ通信を行う端末デバイスのうちの第４端末デバイス以外の全ての他端末デバイスであり、ここで、前記第４端末デバイスが前記第１伝送リソースセットの相対運動速度閾値を満たさない、
請求項３乃至６のいずれか１項に記載の方法。
【請求項９】
前記第１伝送リソースセットに対応する少なくとも１つの第２端末デバイスの各第２端末デバイスの位置情報及び運動速度情報を取得することは、
前記少なくとも１つの第２端末デバイスの各第２端末デバイスにより送信されたＤ２Ｄブロードキャストメッセージを受信することを含み、
前記Ｄ２Ｄブロードキャストメッセージには、前記各第２端末デバイスの位置情報及び運動速度情報が含まれる、
請求項３乃至８のいずれか１項に記載の方法。
【請求項１０】
前記少なくとも１つの第２端末デバイスの各第２端末デバイスにより送信されたＤ２Ｄブロードキャストメッセージが占用する伝送リソースに基づいて、前記各第２端末デバイスが現在、前記第１伝送リソースセットの伝送リソースを利用してＤ２Ｄ通信を行うと確定することをさらに含む、
請求項９に記載の方法。
【請求項１１】
前記第１伝送リソースセットに対応する少なくとも１つの第２端末デバイスの各第２端末デバイスの位置情報及び運動速度情報を取得することは、
前記少なくとも１つの第２端末デバイスの各第２端末デバイスがセルラ通信リンクを介して送信したステータスレポートを受信することを含み、
前記ステータスレポートには、前記各第２端末デバイスの位置情報及び運動速度情報が含まれる、
請求項３乃至８のいずれか１項に記載の方法。
【請求項１２】
前記複数の伝送リソースセットから、前記第１端末デバイスがＤ２Ｄ通信を行うターゲット伝送リソースセットを確定する前に、前記方法は、さらに、
前記第１端末デバイスが現在、第２伝送リソースセットの距離閾値を満たすかどうかを確定することを含み、
ここで、前記第１端末デバイスが現在、前記第２伝送リソースセットの伝送リソースを利用してＤ２Ｄ通信を行い、
前記複数の伝送リソースセットから、前記第１端末デバイスがＤ２Ｄ通信を行うターゲット伝送リソースセットを確定することは、
前記第１端末デバイスが現在、前記第２伝送リソースセットの距離閾値を満たさない場合、前記複数の伝送リソースセットから前記第１端末デバイスのターゲット伝送リソースセットを確定することを含む、
請求項１乃至１１のいずれか１項に記載の方法。
【請求項１３】
前記複数の伝送リソースセットから前記第１端末デバイスのターゲット伝送リソースセットを確定した後、前記方法は、さらに、
前記第１端末デバイスと前記ターゲット伝送リソースセットに対応する少なくとも１つの第５端末デバイスとの間の現在の最大距離及び最大相対運動速度に基づいて、再選択トリガー時刻を確定することと、
前記再選択トリガー時刻において、利用可能な複数の伝送リソースセットから前記第１端末デバイスのターゲット伝送リソースセットを再選択するようにトリガーすることと、を含む、
請求項１乃至１１のいずれか１項に記載の方法。
【請求項１４】
デバイスツーデバイスＤ２Ｄ通信の伝送リソースを確定するための方法であって、
第１端末デバイスと第１伝送リソースセットに対応する少なくとも１つの第２端末デバイスとの間の距離情報を取得することと、
前記第１端末デバイスと前記少なくとも１つの第２端末デバイスとの間の距離情報に基づいて、前記第１端末デバイスが現在、前記第１伝送リソースセットの伝送リソースを利用してＤ２Ｄ通信を行うことができるかどうかを確定することと、を含み、
ここで、前記少なくとも１つの第２端末デバイスの各第２端末デバイスが現在、前記第１伝送リソースセットの伝送リソースを利用してＤ２Ｄ通信を行い、前記第１伝送リソースセットは、少なくとも１つの伝送リソースブロックを含む、方法。
【請求項１５】
前記第１端末デバイスと第１伝送リソースセットに対応する少なくとも１つの第２端末デバイスとの間の距離情報は、
前記第１端末デバイスと前記少なくとも１つの第２端末デバイスとの間の距離統計情報、又は、
前記第１端末デバイスと前記少なくとも１つの第２端末デバイスの各第２端末デバイスとの間の距離を含み、
ここで、前記距離統計情報は、最大距離、平均距離及び距離平均分散のうちの少なくとも１つを含む、
請求項１４に記載の方法。
【請求項１６】
前記第１端末デバイスと前記少なくとも１つの第２端末デバイスとの間の距離情報に基づいて、前記第１端末デバイスが現在、前記第１伝送リソースセットの伝送リソースを利用してＤ２Ｄ通信を行うことができるかどうかを確定することは、
前記第１端末デバイスと前記少なくとも１つの第２端末デバイスとの間の距離情報及び相対運動速度情報に基づいて、前記第１端末デバイスが現在、前記第１伝送リソースセットの伝送リソースを利用してＤ２Ｄ通信を行うことができるかどうかを確定することを含む
請求項１４又は１５に記載の方法。
【請求項１７】
前記第１端末デバイスと前記少なくとも１つの第２端末デバイスとの間の相対運動速度情報は、
前記第１端末デバイスと前記少なくとも１つの第２端末デバイスとの間の相対運動速度統計情報、又は、
前記第１端末デバイスと前記少なくとも１つの第２端末デバイスの各第２端末デバイスとの間の相対運動速度を含み、
ここで、前記相対運動速度統計情報は、最大相対運動速度、平均相対運動速度及び相対運動速度平均分散のうちの少なくとも１つを含む、
請求項１６に記載の方法。
【請求項１８】
前記第１端末デバイスと前記少なくとも１つの第２端末デバイスとの間の距離情報及び相対運動速度情報に基づいて、前記第１端末デバイスが現在、前記第１伝送リソースセットの伝送リソースを利用してＤ２Ｄ通信を行うことができるかどうかを確定することは、
前記第１端末デバイスと前記少なくとも１つの第２端末デバイスとの間の最大距離が前記第１伝送リソースセットの距離閾値の以下であり、しかも前記第１端末デバイスと前記少なくとも１つの第２端末デバイスとの間の最大相対運動速度が前記第１伝送リソースセットの相対運動速度閾値の以下である場合、前記第１端末デバイスが現在、前記第１伝送リソースセットの伝送リソースを利用してＤ２Ｄ通信を行うことができると確定すること、を含む、
請求項１６又は１７に記載の方法。
【請求項１９】
前記第１端末デバイスと第１伝送リソースセットに対応する少なくとも１つの第２端末デバイスとの間の距離情報を取得することは、
前記第１端末デバイスにより送信された測定レポートを受信することを含み、
前記測定レポートには、前記第１端末デバイスと前記少なくとも１つの第２端末デバイスとの間の距離情報が含まれる、
請求項１４乃至１８のいずれか１項に記載の方法。
【請求項２０】
デバイスツーデバイスＤ２Ｄ通信の伝送リソースを確定するための方法であって、
第１端末デバイスは前記第１端末デバイスの位置情報及び運動速度情報を取得することと、
前記第１端末デバイスはメッセージを送信することとを含み、
前記メッセージには、前記第１端末デバイスの位置情報及び運動速度情報が含まれる、方法。
【請求項２１】
前記第１端末デバイスはメッセージを送信することは、
前記第１端末デバイスはＤ２Ｄブロードキャストメッセージを送信すること、又は、
前記第１端末デバイスは、ネットワークデバイスにステータスレポートメッセージを送信すること、を含む、
請求項２０に記載の方法。
【請求項２２】
前記メッセージがＤ２Ｄブロードキャストメッセージである場合、前記第１端末デバイスはメッセージを送信することは、
前記第１端末デバイスは、現在、対応する伝送リソースセットの伝送リソースを利用して前記Ｄ２Ｄブロードキャストメッセージを送信することを含み、
ここで、前記伝送リソースセットは、対応する距離閾値及び相対運動速度閾値を有する、
請求項２０又は２１に記載の方法。
【請求項２３】
前記メッセージには、指示情報が更に含まれ、
前記指示情報は、前記第１端末デバイスが現在、対応する伝送リソースセットの相対運動速度閾値を満たすかどうかを指示するために用いられる、
請求項２０乃至２２のいずれか１項に記載の方法。
【請求項２４】
デバイスツーデバイスＤ２Ｄ通信の伝送リソースを確定するための装置であって、
複数の伝送リソースセットを確定するように構成される第１確定ユニットと、
第１端末デバイスの現在の位置情報及び前記第１確定ユニットにより確定された前記複数の伝送リソースセットの距離閾値に基づいて、前記複数の伝送リソースセットから、前記第１端末デバイスがＤ２Ｄ通信を行うターゲット伝送リソースセットを確定するように構成される第２確定ユニットと、を含み、
ここで、前記複数の伝送リソースセットの各伝送リソースセットは、少なくとも１つの伝送リソースブロックを含み、しかも各伝送リソースセットは、対応する距離閾値を有する、装置。
【請求項２５】
前記複数の伝送リソースセットの各伝送リソースセットは、対応する相対運動速度閾値を更に有し、
前記第２確定ユニットは、具体的に、
第１端末デバイスの現在の位置情報と運動速度情報、及び前記複数の伝送リソースセットの距離閾値と相対運動速度閾値に基づいて、前記複数の伝送リソースセットから、前記第１端末デバイスがＤ２Ｄ通信を行うターゲット伝送リソースセットを確定するように構成される、
請求項２４に記載の装置。
【請求項２６】
前記第２確定ユニットは、具体的に、
第１伝送リソースセットに対応する少なくとも１つの第２端末デバイスの各第２端末デバイスの位置情報及び運動速度情報を取得し、
前記第１端末デバイスの現在の位置情報及び前記少なくとも１つの第２端末デバイスの各第２端末デバイスの位置情報に基づいて、前記第１端末デバイスと前記少なくとも１つの第２端末デバイスとの間の距離統計情報を確定し、
前記第１端末デバイスの現在の運動速度情報及び前記少なくとも１つの第２端末デバイスの各第２端末デバイスの運動速度情報に基づいて、前記第１端末デバイスと前記少なくとも１つの第２端末デバイスとの間の相対運動速度統計情報を確定し、
前記第１端末デバイスと前記少なくとも１つの第２端末デバイスとの間の距離統計情報と相対運動速度統計情報、及び前記第１伝送リソースセットの距離閾値と相対運動速度閾値に基づいて、前記第１端末デバイスが現在、前記第１伝送リソースセットの伝送リソースを利用してＤ２Ｄ通信を行うことができるかどうかを確定するように構成され、
ここで、前記少なくとも１つの第２端末デバイスの各第２端末デバイスが現在、第１伝送リソースセットの伝送リソースを使用してＤ２Ｄ通信を行い、前記複数の伝送リソースセットは、前記第１伝送リソースセットを含み、
前記距離統計情報は、最大距離、平均距離及び距離平均分散のうちの少なくとも１つを含み、
前記相対運動速度統計情報は、最大相対運動速度、平均相対運動速度及び相対運動速度平均分散のうちの少なくとも１つを含む、
請求項２５に記載の装置。
【請求項２７】
前記距離統計情報は、最大距離を含み、前記相対運動速度統計情報は、最大相対運動速度を含み、
前記第２確定ユニットは、具体的に、
前記第１端末デバイスと前記少なくとも１つの第２端末デバイスとの間の最大距離が前記第１伝送リソースセットの距離閾値の以下であり、しかも前記第１端末デバイスと前記少なくとも１つの第２端末デバイスとの間の最大相対運動速度が前記第１伝送リソースセットの相対運動速度閾値の以下である場合、前記第１端末デバイスが現在、前記第１伝送リソースセットの伝送リソースを利用してＤ２Ｄ通信を行うことができると確定するように構成される、
請求項２６に記載の装置。
【請求項２８】
前記第２確定ユニットは、具体的に、
前記第１端末デバイスが現在、前記複数の伝送リソースセットの各伝送リソースセットの相対運動速度閾値を満たさないと確定した場合、少なくとも１つの伝送リソースセット候補のうちの最大相対運動速度が最小である伝送リソースセットを前記第１端末デバイスのターゲット伝送リソースセットとして確定するように構成され、
ここで、前記複数の伝送リソースセットは、前記少なくとも１つの伝送リソースセット候補を含み、前記第１端末デバイスが現在、前記少なくとも１つの伝送リソースセット候補の各伝送リソースセット候補の距離閾値を満たし、各伝送リソースセット候補に対応する最大相対運動速度は、前記第１端末デバイスと現在、前記各伝送リソースセット候補の伝送リソースを使用してＤ２Ｄ通信を行う少なくとも１つの第３端末デバイスとの間の最大相対運動速度である、
請求項２７に記載の装置。
【請求項２９】
前記第２確定ユニットは、具体的に、
前記第１端末デバイスと前記少なくとも１つの第２端末デバイスとの間の距離統計情報が前記第１伝送リソースセットの距離閾値を満たす場合、前記第１端末デバイスの現在の運動速度情報及び前記少なくとも１つの第２端末デバイスの各第２端末デバイスの運動速度情報に基づいて、前記第１端末デバイスと前記少なくとも１つの第２端末デバイスとの間の相対運動速度統計情報を確定するように構成される、
請求項２６乃至２８のいずれか１項に記載の装置。
【請求項３０】
前記少なくとも１つの第２端末デバイスは、具体的に、現在、前記第１伝送リソースセットの伝送リソースを利用してＤ２Ｄを行う全ての端末デバイスである、
請求項２６乃至２９のいずれか１項に記載の装置。
【請求項３１】
前記少なくとも１つの第２端末デバイスは、現在、前記第１伝送リソースセットの伝送リソースを使用してＤ２Ｄ通信を行う端末デバイスのうちの第４端末デバイス以外の全ての他端末デバイスであり、ここで、前記第４端末デバイスが前記第１伝送リソースセットの相対運動速度閾値を満たさない、
請求項２６乃至２９のいずれか１項に記載の装置。
【請求項３２】
前記装置は、さらに、受信ユニットを含み、
受信ユニットは、前記少なくとも１つの第２端末デバイスの各第２端末デバイスにより送信されたＤ２Ｄブロードキャストメッセージを受信するように構成され、
前記Ｄ２Ｄブロードキャストメッセージには、前記各第２端末デバイスの位置情報及び運動速度情報が含まれ、
前記第２確定ユニットは、具体的に、前記受信ユニットにより受信された前記Ｄ２Ｄブロードキャストメッセージに基づいて、前記各第２端末デバイスの位置情報及び運動速度情報を確定するように構成される、
請求項２５乃至３１のいずれか１項に記載の装置。
【請求項３３】
前記第２確定ユニットは、さらに、前記少なくとも１つの第２端末デバイスの各第２端末デバイスにより送信されたＤ２Ｄブロードキャストメッセージが占用する伝送リソースに基づいて、前記各第２端末デバイスが現在、前記第１伝送リソースセットの伝送リソースを利用してＤ２Ｄ通信を行うと確定するように構成される、
請求項３２に記載の装置。
【請求項３４】
前記装置は、さらに、受信ユニットを含み、
受信ユニットは、前記少なくとも１つの第２端末デバイスの各第２端末デバイスがセルラ通信リンクを介して送信したステータスレポートを受信するように構成され、
前記ステータスレポートには、前記各第２端末デバイスの位置情報及び運動速度情報が含まれ、
前記第２確定ユニットは、具体的に、前記受信ユニットにより受信された前記ステータスレポートに基づいて、前記各第２端末デバイスの位置情報及び運動速度情報を確定するように構成される、
請求項２６乃至３１のいずれか１項に記載の装置。
【請求項３５】
前記第２確定ユニットは、さらに、前記複数の伝送リソースセットから、前記第１端末デバイスがＤ２Ｄ通信を行うターゲット伝送リソースセットを確定する前に、前記第１端末デバイスが現在、第２伝送リソースセットの距離閾値を満たすかどうかを確定するように構成され、ここで、前記第１端末デバイスが現在、前記第２伝送リソースセットの伝送リソースを利用してＤ２Ｄ通信を行い、
前記第２確定ユニットは、具体的に、前記第１端末デバイスが現在、前記第２伝送リソースセットの距離閾値を満たさないと確定した場合、前記複数の伝送リソースセットから前記第１端末デバイスのターゲット伝送リソースセットを確定するように構成される、
請求項２４乃至３４のいずれか１項に記載の装置。
【請求項３６】
前記第２確定ユニットは、さらに、
前記複数の伝送リソースセットから前記第１端末デバイスのターゲット伝送リソースセットを確定した後、前記第１端末デバイスと前記ターゲット伝送リソースセットに対応する少なくとも１つの第５端末デバイスとの間の現在の最大距離及び最大相対運動速度に基づいて、再選択トリガー時刻を確定し、
前記再選択トリガー時刻において、利用可能な複数の伝送リソースセットから前記第１端末デバイスのターゲット伝送リソースセットを再選択するようにトリガーするように構成される、
請求項２４乃至３４のいずれか１項に記載の装置。
【請求項３７】
デバイスツーデバイスＤ２Ｄ通信の伝送リソースを確定するための装置であって、
第１端末デバイスと第１伝送リソースセットに対応する少なくとも１つの第２端末デバイスとの間の距離情報を取得するように構成される取得ユニットと、
前記取得ユニットにより取得された前記第１端末デバイスと前記少なくとも１つの第２端末デバイスとの間の距離情報に基づいて、前記第１端末デバイスが現在、前記第１伝送リソースセットの伝送リソースを利用してＤ２Ｄ通信を行うことができるかどうかを確定するように構成される確定ユニットと、を含み、
ここで、前記少なくとも１つの第２端末デバイスの各第２端末デバイスが現在、前記第１伝送リソースセットの伝送リソースを利用してＤ２Ｄ通信を行い、前記第１伝送リソースセットは、少なくとも１つの伝送リソースブロックを含む、装置。
【請求項３８】
前記第１端末デバイスと第１伝送リソースセットに対応する少なくとも１つの第２端末デバイスとの間の距離情報は、
前記第１端末デバイスと前記少なくとも１つの第２端末デバイスとの間の距離統計情報、又は、
前記第１端末デバイスと前記少なくとも１つの第２端末デバイスの各第２端末デバイスとの間の距離を含み、
前記距離統計情報は、最大距離、平均距離及び距離平均分散のうちの少なくとも１つを含む、
請求項３７に記載の装置。
【請求項３９】
前記確定ユニットは、具体的に、
前記第１端末デバイスと前記少なくとも１つの第２端末デバイスとの間の距離情報及び相対運動速度情報に基づいて、前記第１端末デバイスが現在、前記第１伝送リソースセットの伝送リソースを利用してＤ２Ｄ通信を行うことができるかどうかを確定するように構成される、
請求項３７又は３８に記載の装置。
【請求項４０】
前記第１端末デバイスと前記少なくとも１つの第２端末デバイスとの間の相対運動速度情報は、
前記第１端末デバイスと前記少なくとも１つの第２端末デバイスとの間の相対運動速度統計情報、又は、
前記第１端末デバイスと前記少なくとも１つの第２端末デバイスの各第２端末デバイスとの間の相対運動速度を含み、
前記相対運動速度統計情報は、最大相対運動速度、平均相対運動速度及び相対運動速度平均分散のうちの少なくとも１つを含む、
請求項３９に記載の装置。
【請求項４１】
前記確定ユニットは、具体的に、
前記第１端末デバイスと前記少なくとも１つの第２端末デバイスとの間の最大距離が前記第１伝送リソースセットの距離閾値の以下であり、しかも前記第１端末デバイスと前記少なくとも１つの第２端末デバイスとの間の最大相対運動速度が前記第１伝送リソースセットの相対運動速度閾値の以下である場合、前記第１端末デバイスが現在、前記第１伝送リソースセットの伝送リソースを利用してＤ２Ｄ通信を行うことができると確定するように構成される、
請求項３９又は４０に記載の装置。
【請求項４２】
取得ユニットは、具体的に、
前記第１端末デバイスにより送信された測定レポートを受信するように構成され、
前記測定レポートには、前記第１端末デバイスと前記少なくとも１つの第２端末デバイスとの間の距離情報が含まれる、
請求項３７乃至４１のいずれか１項に記載の装置。
【請求項４３】
デバイスツーデバイスＤ２Ｄ通信の伝送リソースを確定するための装置であって、
前記装置の位置情報及び運動速度情報を取得するように構成される取得ユニットと、
メッセージを送信するように構成される送信ユニットと、を含み、
前記メッセージには、前記取得ユニットにより取得された位置情報及び運動速度情報が含まれる、装置。
【請求項４４】
前記送信ユニットは、具体的に、
Ｄ２Ｄブロードキャストメッセージを送信し、又は、
ネットワークデバイスにステータスレポートメッセージを送信するように構成される、
請求項４３に記載の装置。
【請求項４５】
前記メッセージがＤ２Ｄブロードキャストメッセージである場合、前記送信ユニットは、具体的に、現在、対応する伝送リソースセットの伝送リソースを利用して前記Ｄ２Ｄブロードキャストメッセージを送信するように構成され、ここで、前記伝送リソースセットは、対応する距離閾値及び相対運動速度閾値を有する
請求項４３又は４４に記載の装置。
【請求項４６】
前記メッセージには、指示情報が更に含まれ、
前記指示情報は、前記装置が現在、対応する伝送リソースセットの相対運動速度閾値を満たすかどうかを指示するために用いられる、
請求項４３乃至４５のいずれか１項に記載の装置。
【発明の詳細な説明】
【技術分野】
【０００１】
本発明の実施例は、通信分野に関し、具体的に、デバイスツーデバイス通信の伝送リソースを確定するための方法及び装置に関する。
【背景技術】
【０００２】
第３世代の移動体通信システムプロジェクト（３ＧＰＰ：ｔｈｅ  ３ｒｄ  Ｇｅｎｅｒａｔｉｏｎ  Ｐａｒｔｎｅｒｓｈｉｐ  Ｐｒｏｊｅｃｔ）プロトコルにおいて、デバイスツーデバイス（Ｄ２Ｄ：Ｄｅｖｉｃｅ  ｔｏ  Ｄｅｖｉｃｅ）通信が標準化されている。ここで、Ｄ２Ｄ通信のリソース割り当ては、以下の２種類の方式によって実現されることが可能である。第１種の方式において、ネットワークデバイスによりＤ２Ｄ通信の伝送リソースを割り当て、該方式がセルラネットワークにカバレッジされている場合に適し、第２種の方式において、端末デバイスが伝送リソースを自主に選択し、例えば、端末デバイスは、予め規定された複数のリソース割り当てパターンから１つのリソース割り当てパターンをランダムに選択し、選択された該リソース割り当てパターンに基づいて、Ｄ２Ｄ通信を行う時に使用する伝送リソースを確定し、該方式が主にセルラネットワークにカバレッジされていない場合に適する。
【０００３】
通信技術のさらなる発展に伴い、車両ツー車両(Ｖ２Ｖ：Ｖｅｈｉｃｌｅ  ｔｏ  Ｖｅｈｉｃｌｅ)技術及び車両ツーデバイス(Ｖ２Ｘ：Ｖｅｈｉｃｌｅ  ｔｏ  Ｘ)技術に関する研究が注目されている。ここで、Ｖ２Ｘにおいて、Ｘは、無線送受信能力を備える任意のデバイスを広く指し、例えば、低速移動中の無線装置、高速移動中の車載デバイス、又は無線送受信能力を備えるネットワーク制御ノード等が挙げられるが、これらに限定されない。車載デバイスの高速移動という特性により、従来技術における上記リソース割り当て方式がＶ２Ｖ技術及びＶ２Ｘ技術に適せず、現在、Ｖ２Ｖ／Ｖ２Ｘ技術においてＤ２Ｄ通信の伝送リソースをどのように確定するかのような技術案が未だに存在しない。
【発明の概要】
【発明が解決しようとする課題】
【０００４】
本発明の実施例は、Ｄ２Ｄ通信品質を向上させることができる、Ｄ２Ｄ通信の伝送リソースを確定するための方法及び装置を提供する。
【課題を解決するための手段】
【０００５】
第１方面において、Ｄ２Ｄ通信の伝送リソースを確定するための方法を提供し、前記方法は、複数の伝送リソースセットを確定することと、第１端末デバイスの現在の位置情報及び該複数の伝送リソースセットの距離閾値に基づいて、該複数の伝送リソースセットから該第１端末デバイスがＤ２Ｄ通信を行うターゲット伝送リソースセットを確定することとを含み、ここで、該複数の伝送リソースセットの各伝送リソースセットは、少なくとも１つの伝送リソースブロックを含み、しかも各伝送リソースセットは、対応する距離閾値を有する。
【０００６】
そのため、本発明の実施例によるＤ２Ｄ通信の伝送リソースを確定する方法は、伝送リソースセットに距離閾値が定義され、第１端末デバイスの位置情報に基づいて、該第１端末デバイスと伝送リソースセットの現在、対応する端末デバイスとの間の距離情報を確定し、さらに、該距離情報に基づいて、該第１端末デバイスが現在、該伝送リソースセットを利用してＤ２Ｄ通信を行うことができるかどうかを確定することで、複数の伝送リソースセットから該第１端末デバイスのターゲット伝送リソースセットを確定することができる。なお、該第１端末デバイスの絶対位置に基づいて該第１端末デバイスのターゲット伝送リソースセットを確定した場合と比べ、本発明の実施例において、該第１端末デバイスと他の端末デバイスとの間の距離に基づいて該第１端末デバイスのターゲット伝送リソースセットを確定することで、第１端末デバイスの位置変化が速い場合（例えば、該第１端末デバイスは、具体的に、高速移動する車両又は車載デバイス）に該第１端末デバイスのターゲット伝送リソースセットを頻繁に切り替える必要があることを回避して、Ｄ２Ｄ通信品質を向上させることができる。
【０００７】
なお、従来技術において、第１端末デバイスは、利用する伝送リソースセットを自主に選択する場合、地理的位置又は地理的エリアと伝送リソースセットとの対応関係を予め取得して記憶する必要がある。しかし、本発明の実施例において、該第１端末デバイスは、他の端末デバイスとの距離に基づいて伝送リソースセットを選択し、位置又は距離と伝送リソースとの対応関係を予め記憶する必要がなく、端末デバイスのメモリーを節約することができる。
【０００８】
任意的に、第１端末デバイスが現在、該第１伝送リソースセットを利用してＤ２Ｄ通信を行うことができると確定した場合、該第１伝送リソースセットを該第１端末デバイスのターゲット伝送リソースセットとして確定する。
【０００９】
任意的に、第１端末デバイスの現在の位置情報及び第１伝送リソースセットの距離閾値に基づいて、第１端末デバイスが現在、該第１伝送リソースセットを利用してＤ２Ｄ通信を行うことができるかどうかを確定する。
【００１０】
任意的に、第１端末デバイスの現在の位置情報及び第１伝送リソースセットに対応する少なくとも１つの第２端末デバイスの各第２端末デバイスの位置情報に基づいて、該第１端末デバイスと該少なくとも１つの第２端末デバイスの各第２端末デバイスとの間の現在の距離を確定し、該第１端末デバイスと該少なくとも１つの第２端末デバイスの各第２端末デバイスとの間の現在の距離及び該第１伝送リソースセットの距離閾値を基づいて、第１端末デバイスが現在、該第１伝送リソースセットを利用してＤ２Ｄ通信を行うことができるかどうかを確定する。
【００１１】
任意的に、該第１端末デバイスと該少なくとも１つの第２端末デバイスの各第２端末デバイスとの間の現在の距離に基づいて、該第１端末デバイスの現在の位置情報と該少なくとも１つの第２端末デバイスとの間の距離統計情報を確定し、該距離統計情報及び該第１伝送リソースセットの距離閾値に基づいて、第１端末デバイスが現在、該第１伝送リソースセットを利用してＤ２Ｄ通信を行うことができるかどうかを確定する。例えば、該距離統計情報は、最大距離を含み、この時、該第１端末デバイスと該少なくとも１つの第２端末デバイスとの間の最大距離が該第１伝送リソースセットの距離閾値の以下である場合、該第１端末デバイスが現在、該第１伝送リソースセットの伝送リソースを利用してＤ２Ｄ通信を行うことができると確定する。
【００１２】
第１方面の第１種の実現可能な形態において、該複数の伝送リソースセットの各伝送リソースセットは、対応する相対運動速度閾値を更に有し、該第１端末デバイスの現在の位置情報及び該複数の伝送リソースセットの距離閾値に基づいて、該複数の伝送リソースセットから該第１端末デバイスがＤ２Ｄ通信を行うターゲット伝送リソースセットを確定することは、第１端末デバイスの現在の位置情報と運動速度情報、及び該複数の伝送リソースセットの距離閾値と相対運動速度閾値に基づいて、該複数の伝送リソースセットから該第１端末デバイスがＤ２Ｄ通信を行うターゲット伝送リソースセットを確定することを含む。
【００１３】
任意的に、該第１端末デバイスの現在の位置情報が該第１伝送リソースセットの距離閾値を満たす場合、該第１端末デバイスの現在の運動速度情報及び該第１伝送リソースセットの相対運動速度閾値に基づいて、第１端末デバイスが現在、該第１伝送リソースセットを利用してＤ２Ｄ通信を行うことができるかどうかを確定する。
【００１４】
このように、第１端末デバイスの位置情報及び運動速度情報に基づいて該第１端末デバイスのターゲット伝送リソースセットを確定することで、端末デバイスが頻繁に伝送リソースセット選択をトリガーすることを低減して、Ｄ２Ｄ通信品質をさらに向上させることができる。
【００１５】
上記の実現可能な形態を参照し、第１方面の第２種の実現可能な形態において、該第１端末デバイスの現在の位置情報と運動速度情報、及び該複数の伝送リソースセットの距離閾値と相対運動速度閾値に基づいて、該複数の伝送リソースセットから該第１端末デバイスがＤ２Ｄ通信を行うターゲット伝送リソースセットを確定することは、第１伝送リソースセットに対応する少なくとも１つの第２端末デバイスの各第２端末デバイスの位置情報及び運動速度情報を取得することと、該第１端末デバイスの現在の位置情報及び該少なくとも１つの第２端末デバイスの各第２端末デバイスの位置情報に基づいて、該第１端末デバイスと該少なくとも１つの第２端末デバイスとの間の距離統計情報を確定することと、該第１端末デバイスの現在の運動速度情報及び該少なくとも１つの第２端末デバイスの各第２端末デバイスの運動速度情報に基づいて、該第１端末デバイスと該少なくとも１つの第２端末デバイスとの間の相対運動速度統計情報を確定することと、該第１端末デバイスと該少なくとも１つの第２端末デバイスとの間の距離統計情報と相対運動速度統計情報、及び該第１伝送リソースセットの距離閾値と相対運動速度閾値に基づいて、該第１端末デバイスが現在、該第１伝送リソースセットの伝送リソースを利用してＤ２Ｄ通信を行うことができるかどうかを確定することとを含み、ここで、該少なくとも１つの第２端末デバイスの各第２端末デバイスが現在、第１伝送リソースセットの伝送リソースを利用してＤ２Ｄ通信を行い、該複数の伝送リソースセットは該第１伝送リソースセットを含み、該距離統計情報は、最大距離、平均距離及び距離平均分散のうちの少なくとも１つを含み、該相対運動速度統計情報は、最大相対運動速度、平均相対運動速度及び相対運動速度平均分散のうちの少なくとも１つを含む。
【００１６】
任意的に、該第１端末デバイスと該少なくとも１つの第２端末デバイスの各第２端末デバイスとの間の距離、該第１端末デバイスと該少なくとも１つの第２端末デバイスの各第２端末デバイスとの間の相対運動速度、及び該第１伝送リソースセットの距離閾値と相対運動速度閾値に基づいて、該第１端末デバイスが現在、該第１伝送リソースセットの伝送リソースを利用してＤ２Ｄ通信を行うことができるかどうかを確定する。
【００１７】
上記の実現可能な形態を参照し、第１方面の第３種の実現可能な形態において、該距離統計情報は最大距離を含み、該相対運動速度統計情報は最大相対運動速度を含み、該第１端末デバイスと該少なくとも１つの第２端末デバイスとの間の距離統計情報と相対運動速度統計情報、及び該第１伝送リソースセットの距離閾値と相対運動速度閾値に基づいて、該第１端末デバイスが現在、該第１伝送リソースセットの伝送リソースを使用してＤ２Ｄ通信を行うことができるかどうかを確定することは、該第１端末デバイスと該少なくとも１つの第２端末デバイスとの間の最大距離が該第１伝送リソースセットの距離閾値の以下であり、しかも該第１端末デバイスと該少なくとも１つの第２端末デバイスとの間の最大相対運動速度が該第１伝送リソースセットの相対運動速度閾値の以下である場合、該第１端末デバイスが現在、該第１伝送リソースセットの伝送リソースを利用してＤ２Ｄ通信を行うことができると確定することを含む。
【００１８】
上記の実現可能な形態を参照し、第１方面の第４種の実現可能な形態において、該第１端末デバイスの現在の位置情報と運動速度情報、及び該複数の伝送リソースセットの距離閾値と相対運動速度閾値に基づいて、該複数の伝送リソースセットから該第１端末デバイスがＤ２Ｄ通信を行うターゲット伝送リソースセットを確定することは、さらに、該第１端末デバイスが現在、該複数の伝送リソースセットの各伝送リソースセットの相対運動速度閾値を満たさないと確定した場合、少なくとも１つの伝送リソースセット候補のうちの最大相対運動速度が最小である伝送リソースセットを該第１端末デバイスのターゲット伝送リソースセットとして確定することを含み、ここで、該複数の伝送リソースセットは該少なくとも１つの伝送リソースセット候補を含み、該第１端末デバイスが現在、該少なくとも１つの伝送リソースセット候補の各伝送リソースセット候補の距離閾値を満たし、各伝送リソースセット候補に対応する最大相対運動速度は、該第１端末デバイスと現在、該各伝送リソースセット候補の伝送リソースを使用してＤ２Ｄ通信を行う少なくとも１つの第３端末デバイスとの間の最大相対運動速度である。
【００１９】
上記の実現可能な形態を参照し、第１方面の第５種の実現可能な形態において、該第１端末デバイスの現在の運動速度情報及び該少なくとも１つの第２端末デバイスの各第２端末デバイスの運動速度情報に基づいて、該第１端末デバイスと該少なくとも１つの第２端末デバイスとの間の相対運動速度統計情報を確定することは、該第１端末デバイスと該少なくとも１つの第２端末デバイスとの間の距離統計情報が該第１伝送リソースセットの距離閾値を満たす場合、該第１端末デバイスの現在の運動速度情報及び該少なくとも１つの第２端末デバイスの各第２端末デバイスの運動速度情報に基づいて、該第１端末デバイスと該少なくとも１つの第２端末デバイスとの間の相対運動速度統計情報を確定することを含む。
【００２０】
上記の実現可能な形態を参照し、第１方面の第６種の実現可能な形態において、該少なくとも１つの第２端末デバイスは、具体的に、現在、該第１伝送リソースセットの伝送リソースを使用してＤ２Ｄ通信を行う全ての端末デバイスである。
【００２１】
上記の実現可能な形態を参照し、第１方面の第７種の実現可能な形態において、該少なくとも１つの第２端末デバイスは、具体的に、現在、該第１伝送リソースセットの伝送リソースを利用してＤ２Ｄ通信を行う端末デバイスのうちの第４端末デバイス以外の全ての他の端末デバイスであり、ここで、該第４端末デバイスが該第１伝送リソースセットの相対運動速度閾値を満たさない。
【００２２】
上記の実現可能な形態を参照し、第１方面の第８種の実現可能な形態において、該第１伝送リソースセットに対応する少なくとも１つの第２端末デバイスの各第２端末デバイスの位置情報及び運動速度情報を取得することは、該少なくとも１つの第２端末デバイスの各第２端末デバイスにより送信されたＤ２Ｄブロードキャストメッセージを受信することを含み、該Ｄ２Ｄブロードキャストメッセージには、該各第２端末デバイスの位置情報及び運動速度情報が含まれる。
【００２３】
上記の実現可能な形態を参照し、第１方面の第９種の実現可能な形態において、該方法は、さらに、該少なくとも１つの第２端末デバイスの各第２端末デバイスにより送信されたＤ２Ｄブロードキャストメッセージが占用する伝送リソースに基づいて、該各第２端末デバイスが現在、該第１伝送リソースセットの伝送リソースを利用してＤ２Ｄ通信を行うと確定することを含む。
【００２４】
上記の実現可能な形態を参照し、第１方面の第１０種の実現可能な形態において、該第１伝送リソースセットに対応する少なくとも１つの第２端末デバイスの各第２端末デバイスの位置情報及び運動速度情報を取得することは、該少なくとも１つの第２端末デバイスの各第２端末デバイスがセルラ通信リンクを介して送信したステータスレポートを受信することを含み、該ステータスレポートには、該各第２端末デバイスの位置情報及び運動速度情報が含まれる。
【００２５】
上記の実現可能な形態を参照し、第１方面の第１１種の実現可能な形態において、該複数の伝送リソースセットから、該第１端末デバイスがＤ２Ｄ通信を行うターゲット伝送リソースセットを確定する前に、該方法は、さらに、該第１端末デバイスが現在、第２伝送リソースセットの距離閾値を満たすかどうかを確定することを含み、ここで、該第１端末デバイスが現在、該第２伝送リソースセットの伝送リソースを利用してＤ２Ｄ通信を行い、該複数の伝送リソースセットから、該第１端末デバイスがＤ２Ｄ通信を行うターゲット伝送リソースセットを確定することは、該第１端末デバイスが現在、該第２伝送リソースセットの距離閾値を満たさない場合、該複数の伝送リソースセットから該第１端末デバイスのターゲット伝送リソースセットを確定することを含む。
【００２６】
上記の実現可能な形態を参照し、第１方面の第１２種の実現可能な形態において、該複数の伝送リソースセットから該第１端末デバイスのターゲット伝送リソースセットを確定した後、該方法は、さらに、該第１端末デバイスと該ターゲット伝送リソースセットに対応する少なくとも１つの第５端末デバイスとの間の現在の最大距離及び最大相対運動速度に基づいて再選択トリガー時刻を確定し、該再選択トリガー時刻において利用可能な複数の伝送リソースセットから該第１端末デバイスのターゲット伝送リソースセットを再選択するようにトリガーすることを含む。
【００２７】
この時、任意的に、該再選択トリガー時刻と現在時刻との間の間隔は、該最大距離と最大相対運動速度との商である。
【００２８】
上記の実現可能な形態を参照し、第１方面の第１２種の実現可能な形態において、該複数の伝送リソースセットから該第１端末デバイスのターゲット伝送リソースセットを確定した後、該方法は、さらに、該ターゲット伝送リソースセットの距離閾値、該第１端末デバイスと該ターゲット伝送リソースセットに対応する少なくとも１つの第５端末デバイスとの間の現在の最大相対運動速度に基づいて、再選択トリガー時刻を確定し、該再選択トリガー時刻において利用可能な複数の伝送リソースセットから該第１端末デバイスのターゲット伝送リソースセットを再選択するようにトリガーすることを含む。
【００２９】
この時、任意的に、該再選択トリガー時刻と現在時刻との間の間隔は、該距離閾値と該最大相対運動速度との商である。
【００３０】
第２方面は、他のＤ２Ｄ通信の伝送リソースを確定するための方法を提供し、該方法は、第１端末デバイスと第１伝送リソースセットに対応する少なくとも１つの第２端末デバイスとの間の距離情報を取得することと、該第１端末デバイスと該少なくとも１つの第２端末デバイスとの間の距離情報に基づいて、該第１端末デバイスが現在、該第１伝送リソースセットの伝送リソースを利用してＤ２Ｄ通信を行うことができるかどうかを確定することとを含み、ここで、該少なくとも１つの第２端末デバイスの各第２端末デバイスが現在、該第１伝送リソースセットの伝送リソースを利用してＤ２Ｄ通信を行い、該第１伝送リソースセットは少なくとも１つの伝送リソースブロックを含む。
【００３１】
第２方面の第１種の実現可能な形態において、該第１端末デバイスと第１伝送リソースセットに対応する少なくとも１つの第２端末デバイスとの間の距離情報は、該第１端末デバイスと該少なくとも１つの第２端末デバイスとの間の距離統計情報、又は、該第１端末デバイスと該少なくとも１つの第２端末デバイスの各第２端末デバイスとの間の距離を含み、ここで、該距離統計情報は、最大距離、平均距離及び距離平均分散のうちの少なくとも１つを含む。
【００３２】
上記の実現可能な形態を参照し、第２方面の第２種の実現可能な形態において、該第１端末デバイスと該少なくとも１つの第２端末デバイスとの間の距離情報に基づいて、該第１端末デバイスが現在、該第１伝送リソースセットの伝送リソースを利用してＤ２Ｄ通信を行うことができるかどうかを確定することは、該第１端末デバイスと該少なくとも１つの第２端末デバイスとの間の距離情報及び相対運動速度情報に基づいて、該第１端末デバイスが現在、該第１伝送リソースセットの伝送リソースを利用してＤ２Ｄ通信を行うことができるかどうかを確定する。
【００３３】
上記の実現可能な形態を参照し、第２方面の第３種の実現可能な形態において、該第１端末デバイスと該少なくとも１つの第２端末デバイスとの間の相対運動速度情報は、該第１端末デバイスと該少なくとも１つの第２端末デバイスとの間の相対運動速度統計情報、又は、該第１端末デバイスと該少なくとも１つの第２端末デバイスの各第２端末デバイスとの間の相対運動速度を含み、ここで、該相対運動速度統計情報は、最大相対運動速度、平均相対運動速度及び相対運動速度平均分散のうちの少なくとも１つを含む。
【００３４】
上記の実現可能な形態を参照し、第２方面の第４種の実現可能な形態において、該第１端末デバイスと該少なくとも１つの第２端末デバイスとの間の距離情報及び相対運動速度情報に基づいて、該第１端末デバイスが現在、該第１伝送リソースセットの伝送リソースを利用してＤ２Ｄ通信を行うことができるかどうかを確定することは、該第１端末デバイスと該少なくとも１つの第２端末デバイスとの間の最大距離が該第１伝送リソースセットの距離閾値の以下であり、しかも該第１端末デバイスと該少なくとも１つの第２端末デバイスとの間の最大相対運動速度が該第１伝送リソースセットの相対運動速度閾値の以下である場合、該第１端末デバイスが現在、該第１伝送リソースセットの伝送リソースを利用してＤ２Ｄ通信を行うことができると確定することを含む。
【００３５】
上記の実現可能な形態を参照し、第２方面の第５種の実現可能な形態において、該第１端末デバイスと第１伝送リソースセットに対応する少なくとも１つの第２端末デバイスとの間の距離情報を取得することは、該第１端末デバイスにより送信された測定レポートを受信することを含み、該測定レポートには、該第１端末デバイスと該少なくとも１つの第２端末デバイスとの間の距離情報が含まれる。
【００３６】
第３方面は、他のＤ２Ｄ通信の伝送リソースを確定するための方法を提供し、該方法は、第１端末デバイスは該第１端末デバイスの位置情報及び運動速度情報を取得することと、該第１端末デバイスは、該第１端末デバイスの位置情報及び運動速度情報が含まれるメッセージを送信することとを含む。
【００３７】
第３方面の第１種の実現可能な形態において、該第１端末デバイスはメッセージを送信することは、該第１端末デバイスは、Ｄ２Ｄブロードキャストメッセージを送信すること、又は、該第１端末デバイスはネットワークデバイスにステータスレポートメッセージを送信することを含む。
【００３８】
上記の実現可能な形態を参照し、第３方面の第２種の実現可能な形態において、該メッセージがＤ２Ｄブロードキャストメッセージである場合、該第１端末デバイスはメッセージを送信することは、該第１端末デバイスが現在、対応する伝送リソースセットの伝送リソースを利用して該Ｄ２Ｄブロードキャストメッセージを送信することを含み、ここで、該伝送リソースセットは、対応する距離閾値及び相対運動速度閾値を有する。
【００３９】
上記の実現可能な形態を参照し、第３方面の第３種の実現可能な形態において、該メッセージには指示情報更に含まれ、該指示情報は、該第１端末デバイスが現在、対応する伝送リソースセットの相対運動速度閾値を満たすかどうかを指示するために用いられる。
【００４０】
第４方面は、Ｄ２Ｄ通信の伝送リソースを確定するための装置を提供し、上記の第１方面又は第１方面のいかなる実現可能な形態の方法を実行するために用いられる。具体的に、該装置は、上記の第１方面又は第１方面のいかなる実現可能な形態の方法を実行するために用いられるユニットを含む。
【００４１】
第５方面は、他のＤ２Ｄ通信の伝送リソースを確定するための装置を提供し、上記の第２方面又は第２方面のいかなる実現可能な形態の方法を実行するために用いられる。具体的に、該装置は、上記の第２方面又は第２方面のいかなる実現可能な形態の方法を実行するために用いられるユニットを含む。
【００４２】
第６方面は、他のＤ２Ｄ通信の伝送リソースを確定するための装置を提供し、上記の第３方面又は第３方面のいかなる実現可能な形態の方法を実行するために用いられる。具体的に、該装置は、上記の第３方面又は第３方面のいかなる実現可能な形態の方法を実行するために用いられるユニットを含む。
【００４３】
第７方面は、他のＤ２Ｄ通信の伝送リソースを確定するための装置を提供し、記憶ユニット及びプロセッサを含み、該記憶ユニットには命令が記憶され、該プロセッサは、該メモリーに記憶される命令を実行するために用いられ、該プロセッサは、該メモリーに記憶される命令を実行する場合、第１方面又は第１方面のいかなる実現可能な形態の方法を実行する。
【００４４】
第８方面は、他のＤ２Ｄ通信の伝送リソースを確定するための装置を提供し、記憶ユニット及びプロセッサを含み、該記憶ユニットには命令が記憶され、該プロセッサは、該メモリーに記憶される命令を実行するために用いられ、該プロセッサは、該メモリーに記憶される命令を実行する場合、第２方面又は第２方面のいかなる実現可能な形態の方法を実行する。
【００４５】
第９方面は、他のＤ２Ｄ通信の伝送リソースを確定するための装置を提供し、記憶ユニット及びプロセッサを含み、該記憶ユニットには命令が記憶され、該プロセッサは、該メモリーに記憶される命令を実行するために用いられ、該プロセッサは、該メモリーに記憶される命令を実行する場合、第３方面又は第３方面のいかなる実現可能な形態の方法を実行する。
【００４６】
第１０方面は、コンピュータプログラムが記憶されるコンピュータ可読媒体を提供し、該コンピュータプログラムは、第１方面又は第１方面のいかなる実現可能な形態の方法を実行するために用いられる命令を含む。
【００４７】
第１１方面は、コンピュータプログラムが記憶される他のコンピュータ可読媒体を提供し、該コンピュータプログラムは、第２方面又は第２方面のいかなる実現可能な形態の方法を実行するために用いられる命令を含む。
【００４８】
第１２方面は、コンピュータプログラムが記憶される他のコンピュータ可読媒体を提供し、該コンピュータプログラムは、第３方面又は第３方面のいかなる実現可能な形態の方法を実行するために用いられる命令を含む。
【図面の簡単な説明】
【００４９】
【図１】本発明の実施例に応用される無線通信システムの図である。
【図２】本発明の実施例におけるＤ２Ｄ通信の伝送リソースを確定するための方法のフローチャートである。
【図３】本発明の実施例におけるＤ２Ｄ通信の伝送リソースを確定するための方法の他のフローチャートである。
【図４】本発明の実施例におけるＤ２Ｄ通信の伝送リソースを確定するための他の方法のフローチャートである。
【図５】本発明の実施例におけるＤ２Ｄ通信の伝送リソースを確定するための方法の応用シーンの図である。
【図６】本発明の実施例におけるＤ２Ｄ通信の伝送リソースを確定するための装置のブロック図である。
【図７】本発明の実施例におけるＤ２Ｄ通信の伝送リソースを確定するための他の装置のブロック図である。
【図８】本発明の実施例におけるＤ２Ｄ通信の伝送リソースを確定するための他の装置のブロック図である。
【図９】本発明の実施例におけるＤ２Ｄ通信の伝送リソースを確定するための他の装置のブロック図である。
【図１０】是本発明の実施例におけるＤ２Ｄ通信の伝送リソースを確定するための他の装置のブロック図である。
【図１１】本発明の実施例におけるＤ２Ｄ通信の伝送リソースを確定するための他の装置のブロック図である。
【発明を実施するための形態】
【００５０】
本発明の実施例の技術的な解決策をより明確に説明するため、以下に実施例又は従来技術の記述において必要な図面を簡単に説明するが、明らかに、以下に記載する図面は本発明のいくつかの実施例だけであり、当業者であれば、創造的な労力を要することなく、これらの図面に基づいて他の図面を得ることができる。
【００５１】
以下に本発明の実施例の図面を組み合わせながら、本発明の実施例に係る技術的解決策を明確で、全面的に説明し、明らかに、説明した実施例は本発明の一部の実施例だけであり、全ての実施例ではない。本発明の実施例に基づき、当業者が創造的な労力を要せずに得た他の実施例は、全て本発明の保護範囲に属する。
【００５２】
なお、本明細書に単語「システム」及び「ネットワーク」は置換可能に使用される。本明細書に単語「及び／又は」は、関連対象の関連関係を示し、３つの関係を示し、例えば、Ａ及び／又はＢは、Ａが単独で存在し、ＡとＢが同時に存在し、Ｂが単独で存在するという３つの状況を示す。また、本明細書に符号「／」は、通常に、前後の対象の「又は」の関係を示す。
【００５３】
図１は本発明の実施例が応用される無線通信システム１００を示す。該無線通信システム１００は、少なくとも１つのネットワークデバイス１１０を含むことができる。ネットワークデバイス１００は、端末デバイスと通信するデバイスであってもよい。各ネットワークデバイス１００は、特定の地理エリアに通信カバレージを提供し、該カバレージエリアに位置する端末デバイスと通信することができる。該ネットワークデバイス１００は、ＧＳＭシステム又はＣＤＭＡ（ＣＤＭＡ：Ｃｏｄｅ  Ｄｉｖｉｓｉｏｎ  Ｍｕｌｔｉｐｌｅ  Ａｃｃｅｓｓ）システムにおける基地局（ＢＴＳ：Ｂａｓｅ  Ｔｒａｎｓｃｅｉｖｅｒ  Ｓｔａｔｉｏｎ）、ＷＣＤＭＡシステムにおける基地局（ＮＢ：ＮｏｄｅＢ）、ＬＴＥシステムにおける進化型基地局（ｅＮＢ又はｅＮｏｄｅＢ：Ｅｖｏｌｕｔｉｏｎａｌ  ＮｏｄｅＢ）、クラウド無線アクセスネットワーク（ＣＲＡＮ：Ｃｌｏｕｄ  Ｒａｄｉｏ  Ａｃｃｅｓｓ  Ｎｅｔｗｏｒｋ）における無線コントローラー、リピータ、アクセスポイント、車載デバイス、ウェアラブルデバイス及び将来の５Ｇネットワークにおけるネットワーク側デバイス、又は未来進化型の公衆移動通信網（ＰＬＭＮ：Ｐｕｂｌｉｃ  Ｌａｎｄ  Ｍｏｂｉｌｅ  Ｎｅｔｗｏｒｋ）におけるネットワークデバイスなどであってもよい。
【００５４】
該無線通信システム１００には、さらに、ネットワークデバイス１１０のカバー範囲に位置する複数の端末デバイス１２０が含まれる。該端末デバイス１２０は、移動又は固定の端末デバイスであってもよい。該端末デバイス１２０は、アクセス端末、端末はユーザ装置（ＵＥ：Ｕｓｅｒ  Ｅｑｕｉｐｍｅｎｔ）、加入者ユニット、加入者サイト、移動サイト、移動局、遠隔局、遠隔端末、移動装置、ユーザ端末、端末、無線通信装置、ユーザエージェント又はユーザデバイスであってもよい。アクセス端末はセルラー電話、コードレス電話、セッション開始プロトコル（ＳＩＰ：Ｓｅｓｓｉｏｎ  Ｉｎｉｔｉａｔｉｏｎ  Ｐｒｏｔｏｃｏｌ）電話、無線ローカルループ（ＷＬＬ：Ｗｉｒｅｌｅｓｓ  Ｌｏｃａｌ  Ｌｏｏｐ）サイト、パーソナルデジタル処理（ＰＤＡ：Ｐｅｒｓｏｎａ１  Ｄｉｇｉｔａ１  Ａｓｓｉｓｔａｎｔ）、無線通信機能を備えたハンドヘルドデバイス、コンピューティングデバイス又は無線モデムに接続された他の処理装置、車載デバイス、ウェアラブルデバイス、将来の５Ｇネットワークにおける端末、又は未来進化型の公衆移動通信網（ＰＬＭＮ：Ｐｕｂｌｉｃ  Ｌａｎｄ  Ｍｏｂｉｌｅ  Ｎｅｔｗｏｒｋ）における端末デバイスなどであってもよい。
【００５５】
図１は1つのネットワークデバイス及び６つの端末デバイスを示し、任意的に、該無線通信システム１００は、複数のネットワークデバイスを含み、各ネットワークデバイスのカバー範囲に他の数量の端末デバイスが含まれてもよく、本発明の実施例はこれに限定しない。なお、該無線通信システム１００は、さらに、移動管理エンティティ（Ｍｏｂｉｌｅ  Ｍａｎａｇｅｍｅｎｔ  Ｅｎｔｉｔｙ：ＭＭＥ）、サービングゲートウェイ（Ｓｅｒｖｉｎｇ  Ｇａｔｅｗａｙ：Ｓ−ＧＷ）、パケットデータネットワークゲートウェイ（Ｐａｃｋｅｔ  Ｄａｔａ  Ｎｅｔｗｏｒｋ  Ｇａｔｅｗａｙ：Ｐ−ＧＷ）等の他のネットワークエンティティが含むことができるが、本発明の実施例はこれに限定されない。
【００５６】
具体的に、端末デバイス１２０は、セルラー通信モード又はＤ２Ｄ通信モードで通信することができ、ここで、セルラー通信モードにおいて、端末デバイスは、ネットワークデバイスとの間の携帯電話のリンクを介して他の端末デバイスと通信し、Ｄ２Ｄ通信モードにおいて、２つの端末デバイスはＤ２Ｄリンクを介して直接に通信を行う。
【００５７】
端末デバイスがＤ２Ｄ通信（例えばＶ２Ｖ通信又はＶ２Ｘ通信）を行う場合、伝送リソースを自主に選択してもよいし、ネットワークデバイスによりそれにＤ２Ｄ通信の伝送リソースを割り当てもよいが、本発明の実施例はこれを限定しない。
【００５８】
なお、本発明の実施例は、主にＶ２Ｘ通信シーンに応用されてもよいし、他のＤ２Ｄ通信シーンに応用されてもよいが、本発明の実施例はこれを限定しない。
【００５９】
図２は本発明の実施例におけるＤ２Ｄ通信の伝送リソースを確定する方法２００を示す。該方法２００は上記無線通信システム１００に用いられるが、本発明の実施例はこれに限定されない。
【００６０】
該方法２００は、第１端末デバイスがＤ２Ｄ通信（例えばＶ２Ｖ通信或Ｖ２Ｘ通信）を行う場合に使用する伝送リソースを確定するために用いられ、伝送リソースの確定装置により実行されてもよい。任意的に、該伝送リソースの確定装置が第１端末デバイスであってもよく、即ち、第１端末デバイスはＤ２Ｄ通信に利用する伝送リソースを選択し、又は、該伝送リソースの確定装置がネットワークデバイスであってもよく、即ち、ネットワークデバイスは、第１端末デバイスのＤ２Ｄ通信に利用する伝送リソースを設定するが、本発明の実施例はこれを限定しない。
【００６１】
Ｓ２１０において、複数の伝送リソースセットを確定し、ここで、該複数の伝送リソースセットの各伝送リソースセットは、少なくとも１つの伝送リソースブロックを含み、しかも各伝送リソースセットは、対応する距離閾値を有する。
【００６２】
本発明の実施例において、利用可能な伝送リソースを時間及び／又は周波数によって異なる伝送リソースセット（伝送リソースプールと呼ぶ場合もある）に分けることができる。例えば、時間によって利用可能な伝送リソースを区分し、異なる伝送リソースセットを異なる時間帯に対応させ、又は、周波数によって利用可能な伝送リソースを分け、異なる伝送リソースセットを異なる帯域に対応させ、又は、時間及び周波数によって利用可能な伝送リソースをわけ、異なる伝送リソースセットを異なる時間帯及び／又は周波数ビンに対応させるが、本発明の実施例はこれに限定されない。
【００６３】
該複数の伝送リソースセットにおいて、各伝送リソースセットには少なくとも１つの伝送リソースブロックが含まれ、各伝送リソースブロックには少なくとも１つのリソース要素（ＲＥ：Ｒｅｓｏｕｒｃｅ  Ｅｌｅｍｅｎｔ）が含まれることができる。異なる伝送リソースセットには同じまたは異なる数の伝送リソースブロックが含まれ、なお、異なる伝送リソースセットに含まれる伝送リソースブロックの大きさが同じであっても良く又は異なっても良い。任意的に、利用可能な伝送リソースに対する分け方及び各伝送リソースセットに含まれる伝送リソースが予め定義されたものであってもよいし、ネットワークデバイスにより設定されたものであってもよいが、本発明の実施例はこれを限定しない。
【００６４】
なお、本発明の実施例において、各伝送リソースセットは、対応する距離閾値を有し、ここで、距離閾値は、伝送リソースセットが、該伝送リソースセットを利用してＤ２Ｄ通信を行う全て端末デバイスの間の距離に対する要求を示すために用いられる。例えば、距離閾値は、伝送リソースセットが該伝送リソースセットを利用してＤ２Ｄ通信を行う全て端末デバイス間の最大距離に対する制限を示すために用いられるが、本発明の実施例はこれに限定されない。任意的に、該距離閾値は、具体的な値であってもよいし、値の範囲又は他の方式であってもよい。なお、伝送リソースセットに対応する距離閾値が予め定義されてもよいし、ネットワークデバイスにより設定されてもよく、ここで、任意的に、伝送リソースセットに対応する距離閾値は、該伝送リソースセットに含まれる伝送リソースの数に依存してもよいが、本発明の実施例はこれを限定しない。
【００６５】
任意的に、該伝送リソースの確定装置を第１端末デバイスとして確定した場合、該複数の伝送リソースセットの各伝送リソースセットに含まれる伝送リソース及び／又は各伝送リソースセットに対応する距離閾値は、第１端末デバイスに予め設定されてもよいし、ネットワークデバイスから該第１端末デバイスに通知してもよく、本発明の実施例はこれを限定しない。
【００６６】
Ｓ２２０において、第１端末デバイスの現在の位置情報及び該複数の伝送リソースセットの距離閾値に基づいて、該複数の伝送リソースセットから該第１端末デバイスがＤ２Ｄ通信を行うターゲット伝送リソースセットを確定する。
【００６７】
該伝送リソースの確定装置は、第１端末デバイスの現在の位置情報を取得することができる。任意的に、該装置が第１端末デバイスである場合、該第１端末デバイスは、グローバルポジショニングシステム（ＧＰＳ：Ｇｌｏｂａｌ  Ｐｏｓｉｔｉｏｎ  Ｓｙｓｔｅｍ）等の定位システムで自分の現在の位置情報を取得することができるが、本発明の実施例はこれに限定されない。
【００６８】
任意的に、該装置がネットワークデバイスである場合、該ネットワークデバイスは、該第１端末デバイスにより送信された第１ステータスレポートを受信し、該第１ステータスレポートには該第１端末デバイスの現在の位置情報が含まれ、ここで、該第１端末デバイスは該ネットワークデバイスに第１ステータスレポートを主動に送信し、例えば、該第１端末デバイスは、第１ステータスレポートを周期的に送信し、又は、該第１端末デバイスは、Ｄ２Ｄ伝送の伝送リソースセットを確定する必要がある場合（例えば初め選択又は再選択）、ネットワークデバイスに第１ステータスレポートを送信し、任意的に、該第１端末デバイスは、ネットワークデバイスにより送信された、該第１端末デバイスが位置情報を報告するように指示するために用いられる指示情報を受信した場合、該指示情報に基づいて、該ネットワークデバイスに第１ステータスレポートを送信してもよいが、本発明の実施例はこれに限定されない。
【００６９】
任意的に、該第１端末デバイスの現在の位置情報に基づいて、該第１端末デバイスが現在、該複数の伝送リソースセットのうちのある伝送リソースセットの距離閾値を満たすかどうかを確定する。ここで、第１端末デバイスが現在、伝送リソースセットの距離閾値を満たすことは、該第１端末デバイスと該伝送リソースセットに対応する少なくとも１つの端末デバイスとの間の距離情報が該伝送リソースセットの距離閾値を満たすと示し、ここで、伝送リソースセットと端末デバイスとの間の対応関係は、該端末デバイスが現在、該伝送リソースセットの伝送リソースを利用してＤ２Ｄ通信を行うことを示すために用いられ、伝送リソースセットに対応する少なくとも１つの端末デバイスは、具体的に、現在、該伝送リソースセットの伝送リソースを利用して通信する全て又は一部の端末デバイスであっても良いが、本発明の実施例はこれに限定されない。
【００７０】
任意的に、Ｓ２２０において、該第１端末デバイスの位置情報及び該複数の伝送リソースセットの第１伝送リソースセットの距離閾値に基づいて、該第１端末デバイスが現在、該第１伝送リソースセットの距離閾値を満たすかどうかを確定する。任意的に、該第１端末デバイスが現在、該第１伝送リソースセットの距離閾値を満たすと確定した場合、該第１端末デバイスが現在、該第１伝送リソースセットの伝送リソースを利用してＤ２Ｄ通信を行うことができると確定する。この時、任意的に、該第１伝送リソースセットを該第１端末デバイスのターゲット伝送リソースセットとして確定してもよいし、該第１伝送リソースセットを該第１端末デバイスの伝送リソースセット候補として確定し、最終に該複数の伝送リソースセットに含まれる少なくとも１つの伝送リソースセット候補から該第１端末デバイスのターゲット伝送リソースセットを確定してもよい。任意的に、他の実施例として、該第１端末デバイスが現在、該第１伝送リソースセットの距離閾値を満たさないと確定した場合、該第１端末デバイスが現在、該第１伝送リソースセットの伝送リソースを利用してＤ２Ｄ通信を行うことができないと確定し、さらに、該第１端末デバイスがその距離閾値を満たす伝送リソースセットを見つけるまで、該第１端末デバイスが現在、該複数の伝送リソースセットの他の伝送リソースセットの距離閾値を満たすかどうかを確定するが、本発明の実施例はこれに限定されない。
【００７１】
本発明の実施例において、多種の方式によって第１端末デバイスが現在、該第１伝送リソースセットの距離閾値を満たすかどうかを確定することができる。任意的に、該第１伝送リソースセットに対応する少なくとも１つの第２端末デバイスの位置情報を取得し、該第１端末デバイスの現在の位置情報及び該少なくとも１つの第２端末デバイスの各第２端末デバイスの位置情報に基づいて、該第１端末デバイスと該少なくとも１つの第２端末デバイスとの間の距離統計情報を確定し、ここで、該距離統計情報は、最大距離、平均距離及び距離平均分散のうちの少なくとも１つを含み、さらに、該第１端末デバイスと該少なくとも１つの第２端末デバイスとの間の距離統計情報及び該第１伝送リソースセットの距離閾値に基づいて、該第１端末デバイスが現在、該第１伝送リソースセットの距離閾値を満たすかどうかを確定する。具体的に、該第１端末デバイスの現在の位置情報と該少なくとも１つの第２端末デバイスの各第２端末デバイスの位置情報に基づいて、該第１端末デバイスと該各第２端末デバイスとの間の距離を確定し、該第１端末デバイスと該少なくとも１つの第２端末デバイスの各第２端末デバイスとの間の距離に基づいて、該第１端末デバイスと該少なくとも１つの第２端末デバイスとの間の距離統計情報を確定してもよいが、本発明の実施例はこれに限定されない。
【００７２】
選択的な例として、該距離統計情報は最大距離を含み、さらに、該第１伝送リソースセットの距離閾値は、具体的に、距離閾値であり、この時、該第１端末デバイスと該少なくとも１つの第２端末デバイスとの間の最大距離が該第１伝送リソースセットの距離閾値の以下である場合、該第１端末デバイスが現在、該第１伝送リソースセットの距離閾値を満たすと確定したが、本発明の実施例はこれに限定されない。
【００７３】
該第１端末デバイスのターゲット伝送リソースセットを確定した後、該第１端末デバイスが該ターゲット伝送リソースセットの伝送リソースを利用してＤ２Ｄ通信を行うことができ、ここで、本発明の実施例は、該第１端末デバイスが該ターゲット伝送リソースセット内のＤ２Ｄ通信のための伝送リソースを選択する方式を限定しない。
【００７４】
そのため、本発明の実施例によるＤ２Ｄ通信の伝送リソースを確定する方法は、伝送リソースセットに距離閾値を定義し、第１端末デバイスの位置情報に基づいて、該第１端末デバイスと伝送リソースセットの現在対応する端末デバイスとの間の距離情報を確定し、さらに、該距離情報に基づいて、該第１端末デバイスが現在、該伝送リソースセットを利用してＤ２Ｄ通信を行うことができるかどうかを確定することで、複数の伝送リソースセットから該第１端末デバイスのターゲット伝送リソースセットを確定することができる。なお、該第１端末デバイスの絶対位置に基づいて該第１端末デバイスのターゲット伝送リソースセットを確定する場合と比べ、本発明の実施例において、該第１端末デバイスと他の端末デバイスとの間の相対位置に基づいて該第１端末デバイスのターゲット伝送リソースセットを確定することで、第１端末デバイスの位置変化が速い場合（例えば該第１端末デバイスは、具体的に、高速に運転する車両又は車載デバイスである）に該第１端末デバイスのターゲット伝送リソースセットを頻繁に変更することを回避して、Ｄ２Ｄ通信品質を向上させることができる。
【００７５】
なお、従来技術において、第１端末デバイスは、利用する伝送リソースセットを自主に選択する場合、地理的位置又は地理的エリアと伝送リソースセットとの対応関係を予め取得して記憶する必要がある。それに対して、本発明の実施例において、該第１端末デバイスは、他の端末デバイスとの距離に基づいて伝送リソースセットを選択し、位置又は距離と伝送リソースとの対応関係を予め記憶する必要がなく、端末デバイスのメモリーを節約することができる。
【００７６】
他の選択的な実施例として、伝送リソースセットは、対応する相対運動速度閾値を有し、相対運動速度閾値は、伝送リソースセットが該伝送リソースセットを利用してＤ２Ｄ通信を行う全ての端末デバイスに対する相対運動速度要求を示すために用いられる。例えば、相対運動速度閾値は、伝送リソースセットが該伝送リソースセットを利用してＤ２Ｄ通信を行う全ての端末デバイスの間の最大相対運動速度に対する制限を示すために用いられるが、本発明の実施例はこれに限定されない。任意的に、該相対運動速度閾値は、具体的な値であってもよいし、1つの値の範囲又は他の方式であってもよい。なお、伝送リソースセットに対応する相対運動速度閾値が予め定義されてもよいし、ネットワークデバイスにより設定されてもよく、ここで、任意的に、伝送リソースセットに対応する相対運動速度閾値は、該伝送リソースセットに含まれる伝送リソースの数に依存してもよいが、本発明の実施例はこれを限定しない。
【００７７】
任意的に、伝送リソースの確定装置を第１端末デバイスとして確定した場合、該複数の伝送リソースセットの各伝送リソースセットに含まれる伝送リソース及び／又は各伝送リソースセットに対応する相対運動速度閾値は、第１端末デバイスに予め設定されてもよいし、ネットワークデバイスから該第１端末デバイスに通知してもよく、本発明の実施例はこれを限定しない
この時、任意的に、図３に示すように、Ｓ２２０において、第１端末デバイスの現在の位置情報及び該複数の伝送リソースセットの距離閾値に基づいて、該複数の伝送リソースセットから該第１端末デバイスがＤ２Ｄ通信を行うターゲット伝送リソースセットを確定することは、Ｓ２２１を含む。
【００７８】
Ｓ２２１において、該第１端末デバイスの現在の運動速度情報と位置情報、及び該複数の伝送リソースセットの距離閾値と相対運動速度閾値に基づいて、該複数の伝送リソースセットから、該第１端末デバイスがＤ２Ｄ通信を行うターゲット伝送リソースセットを確定する。
【００７９】
具体的に、該伝送リソースの確定装置は、第１端末デバイスの現在の運動速度情報を取得し、ここで、運動速度情報は、運動速度ベクトルを含む。任意的に、該装置が第１端末デバイスである場合、該第１端末デバイスは、自分の第１時刻と現在時刻の位置情報を取得し、ここで、該第１時刻が該現在時刻よりも早く、該第１時刻と現在時刻との間の時間間隔、該第１端末デバイスの第１時刻と現在時刻での位置情報に基づいて、該第１端末デバイスの現在の運動速度を確定する。任意的に、該第１端末デバイスは、自分の最近の複数の時間間隔内の運動速度を取得し、該複数の時間間隔内の運動速度に基づいて、該第１端末デバイスの現在の運動速度を確定することができるが、本発明の実施例はこれに限定されない。
【００８０】
任意的に、該装置がネットワークデバイスである場合、該ネットワークデバイスは、該第１端末デバイスにより送信された第２ステータスレポートを受信し、該第２ステータスレポートには該第１端末デバイスの現在の運動速度情報が含まれ、ここで、任意的に、該第１端末デバイスは、該第１ステータスレポートと上記の第２ステータスレポートを同一のメッセージ又は異なるメッセージに付けて送信することができるが、本発明の実施例はこれを限定しない。
【００８１】
任意的に、該第１端末デバイスは該ネットワークデバイスに第２ステータスレポートを主動に送信し、例えば、該第１端末デバイスは、第２ステータスレポートを周期的に送信し、又は、該第１端末デバイスは、Ｄ２Ｄ伝送の伝送リソースセットを確定する必要がある場合（例えば初め選択又は再選択）、ネットワークデバイスに第２ステータスレポートを送信し、任意的に、該第１端末デバイスは、ネットワークデバイスにより送信された、該第１端末デバイスが運動速度情報を報告するように指示するために用いられる指示情報を受信した場合、該指示情報に基づいて、該ネットワークデバイスに第２ステータスレポートを送信してもよいが、本発明の実施例はこれに限定されない。
【００８２】
Ｓ２２１において、該第１端末デバイスの現在の位置情報に基づいて、該第１端末デバイスが現在、該第１伝送リソースセットの位置閾値を満たすかどうかを確定し、該第１端末デバイスの現在の運動速度情報に基づいて、該第１端末デバイスが現在、該第１伝送リソースセットの相対運動速度閾値を満たすかどうかを確定する。任意的に、該第１端末デバイスが現在、該第１伝送リソースセットの距離閾値を満たすとともに、該第１伝送リソースセットの相対運動速度閾値も満たす場合、該第１端末デバイスが現在、該第１伝送リソースセットの伝送リソースを利用してＤ２Ｄ通信を行うことができると確定し、さらに、該第１伝送リソースセットを該第１端末デバイスのターゲット伝送リソースセット又は伝送リソースセット候補として確定する。ここで、第１端末デバイスが現在、伝送リソースセットの相対運動速度閾値を満たすことは、該第１端末デバイスと現在、該伝送リソースセットの伝送リソースを利用してＤ２Ｄ通信を行う端末デバイスとの間の相対運動速度が、該伝送リソースセットの相対運動速度閾値を満たすと示し、本発明の実施例はこれに限定されない。
【００８３】
任意的に、該第１端末デバイスが現在、該第１伝送リソースセットの距離閾値を満たさず、及び／又は該第１端末デバイスが現在、該第１伝送リソースセットの相対運動速度閾値を満たさない場合、該第１端末デバイスが現在、該第１伝送リソースセットの伝送リソースを利用してＤ２Ｄ通信を行うことができないと確定したが、本発明の実施例はこれを限定しない。
【００８４】
任意的に、該第１端末デバイスが該第１伝送リソースセットの相対運動速度閾値を満たすかどうかを確定する時に、該少なくとも１つの第２端末デバイスの各第２端末デバイスの運動速度情報を取得し、該第１端末デバイスの現在の運動速度情報及び該少なくとも１つの第２端末デバイスの各第２端末デバイスの運動速度情報に基づいて、該第１端末デバイスと該少なくとも１つの第２端末デバイスとの間の相対運動速度統計情報を確定することができ、ここで、該相対運動速度統計情報は、最大相対運動速度、平均相対運動速度及び相対運動速度平均分散のうちの少なくとも１つを含み、さらに、該第１端末デバイスと該少なくとも１つの第２端末デバイスとの間の相対運動速度統計情報及び該第１伝送リソースセットの相対運動速度閾値に基づいて、該第１端末デバイスが現在、該第１伝送リソースセットの相対運動速度閾値を満たすかどうかを確定する。具体的に、該第１端末デバイスの現在の運動速度情報と該少なくとも１つの第２端末デバイスの各第２端末デバイスの運動速度情報に基づいて、該第１端末デバイスと該各第２端末デバイスとの間の相対運動速度を確定し、該第１端末デバイスと該少なくとも１つの第２端末デバイスの各第２端末デバイスとの間の相対運動速度に基づいて、該第１端末デバイスと該少なくとも１つの第２端末デバイスとの間の相対運動速度統計情報を確定することができる。例えば、該第１端末デバイスの運動速度ベクトルを
【数１】
2019512905.tif 000003
【００８５】
とし、第２端末デバイスの運動速度ベクトルを
【数２】
2019512905.tif 000004
【００８６】
とし、ここのａ１、ａ２とｂ１、ｂ２のそれぞれは、該第１端末デバイスと該第２端末デバイスの２つの垂直方向における移動速度成分である場合、該第１端末デバイスと該第２端末デバイスとの間の相対運動速度が
【数３】
2019512905.tif 000005
【００８７】
であるが、本発明の実施例はこれに限定されない。
【００８８】
１つの選択的な例として、該相対運動速度統計情報は、最大相対運動速度を含み、しかも該第１伝送リソースセットの相対運動速度閾値は、具体的に、相対運動閾値である。この時、該第１端末デバイスと該少なくとも１つの第２端末デバイスとの間の最大相対運動速度が該第１伝送リソースセットの相対運動速度閾値の以下である場合、該第１端末デバイスが現在、該第１伝送リソースセットの相対運動速度閾値を満たすと確定したが、本発明の実施例はこれに限定されない。
【００８９】
１つの選択的な実施例として、Ｓ２２１において、同時に又は任意の前後順序で、該第１端末デバイスが現在、該第１伝送リソースセットの位置閾値を満たすか否かと、該第１伝送リソースセットの相対運動速度閾値を満たすか否かとをそれぞれ確定してもよく、上記２つの動作が互いに影響しない。他の選択的な実施例として、Ｓ２２１において、まず、該第１端末デバイスが現在、該第１伝送リソースセットの距離閾値を満たすかどうかを確定し、該第１伝送リソースセットの距離閾値を満たす場合、さらに、該第１端末デバイスが現在、該第１伝送リソースセットの相対運動速度閾値を満たすかどうかを確定する。一方、該第１伝送リソースセットの距離閾値を満たさない場合、該第１端末デバイスが現在、該第１伝送リソースセットの相対運動速度閾値を満たすかどうかを確定するという操作を行わずに、該第１端末デバイスが現在、該第１伝送リソースセットの伝送リソースを利用してＤ２Ｄ通信を行うことができないと直接に確定し、例えば、該第１端末デバイス及び／又は少なくとも１つの第２端末デバイスの運動速度情報を取得する操作、又は、第１端末デバイスの運動速度情報を取得することを行わず、該第１端末デバイスと該少なくとも１つの第２端末デバイスとの間の相対運動速度統計情報を確定するという操作も行わない。つまり、該第１端末デバイスが現在、該第１伝送リソースセットの距離閾値を満たすと確定した場合のみにおいて、該第１端末デバイスが現在、該第１伝送リソースセットの相対運動速度閾値を満たすかどうかを確定するが、本発明の実施例はこれに限定されない。
【００９０】
本発明の実施例において、多種の方式によって少なくとも１つの第２端末デバイスの各第２端末デバイスの位置情報及び運動速度情報を取得することができる。１つの選択的な実施例として、各端末デバイスは、Ｄ２Ｄブロードキャストメッセージによって自分の現在の位置情報及び運動速度情報をブロードキャストする。この時、該伝送リソースの確定装置を具体的に第１端末デバイスとする場合、該第１端末デバイスは、該少なくとも１つの第２端末デバイスの各第２端末デバイスにより送信されたＤ２Ｄブロードキャストメッセージを受信し、受信されたＤ２Ｄブロードキャストメッセージから各第２端末デバイスの位置情報及び／又は運動速度情報を取得する。任意的に、各端末デバイスは、Ｄ２Ｄブロードキャストメッセージに、自分の利用する伝送リソースセットを示すために用いられる指示情報を付けることも可能である。この時、該第１端末デバイスは、該指示情報に基づいて、該Ｄ２Ｄブロードキャストメッセージを送信した端末デバイスの現在、対応する伝送リソースセットを確定する。又は、該Ｄ２Ｄブロードキャストメッセージに該指示情報が含まれなくてもよい、この時、該第１端末デバイスは、該Ｄ２Ｄブロードキャストメッセージが占用する伝送リソースに基づいて、該Ｄ２Ｄブロードキャストメッセージを送信した端末デバイスの現在、対応する伝送リソースセットを確定するが、本発明の実施例はこれに限定されない。
【００９１】
他の選択的な実施例として、該伝送リソースの確定装置がネットワークデバイスである場合、該ネットワークデバイスは、該少なくとも１つの第２端末デバイスの各第２端末デバイスにより送信されたステータスレポートを受信し、各第２端末デバイスにより送信されたステータスレポートには該第２端末デバイスの位置情報及び／又は運動速度情報が含まれ、ここで、第２端末デバイスは、ステータスレポートを周期的に送信してもよいし、ネットワークデバイスにより送信された、該第２端末デバイスが位置情報及び／又は運動速度情報を報告するように指示するために用いられる指示情報を受信した場合、該指示情報に基づいて、該ネットワークデバイスにステータスレポートを送信してもよいが、本発明の実施例はこれに限定されない。
【００９２】
１つの選択的な実施例として、該第１端末デバイスが現在、距離閾値と相対運動速度閾値を満たす伝送リソースセットを該第１端末デバイスの伝送リソースセット候補として確定した場合、同様に、該第１端末デバイスが現在、他の伝送リソースセットの各伝送リソースセットの距離閾値と相対運動速度閾値を満たすかどうかを確定し、該複数の伝送リソースセットのうちの第１端末デバイスが距離閾値と相対運動速度閾値を満たす伝送リソースセットを伝送リソースセット候補として確定する。
【００９３】
任意的に、該複数の伝送リソースセットのうちの伝送リソースセット候補の数が１つである場合、該第１端末デバイスは、該伝送リソースセット候補を該第１端末デバイスのターゲット伝送リソースセットとして確定する。任意的に、該複数の伝送リソースセットの伝送リソースセット候補の数が複数である場合、即ち、該第１端末デバイスが該複数の伝送リソースセットのうちの少なくとも２つの伝送リソースセットの伝送リソースを利用してＤ２Ｄ通信を行うことができると確定した場合、該少なくとも２つの伝送リソースセットにそれぞれ対応する距離統計情報に基づいて、該少なくとも２つの伝送リソースセットから該第１端末デバイスのターゲット伝送リソースセットを確定し、ここで、伝送リソースセットに対応する距離統計情報は、該第１端末デバイスと現在、該伝送リソースセットを利用してＤ２Ｄ通信を行う少なくとも１つの端末デバイスとの間の距離統計情報を示す。例えば、該距離統計情報が最大距離を含む場合、該少なくとも２つの伝送リソースセットの最大距離が最小である伝送リソースセットを該第１端末デバイスのターゲット伝送リソースセットとして確定するが、本発明の実施例はこれに限定されない。
【００９４】
他の選択的な実施例として、該複数の伝送リソースセットに該第１端末デバイスが現在、Ｄ２Ｄ通信を行う可能な伝送リソースセットが存在しない場合、該複数の伝送リソースセットの各伝送リソースセットに対応する距離統計情報に基づいて、該複数の伝送リソースセットから該第１端末デバイスのターゲット伝送リソースセットを確定する。例えば、該複数の伝送リソースセットの第２伝送リソースセットに基づいて該第１端末デバイスのターゲット伝送リソースセットを確定し、ここで、該第２伝送リソースセットに対応する距離統計情報は、該第２伝送リソースセットの距離閾値を満たす。任意的に、該第２伝送リソースセットの数が複数である場合、該複数の第２伝送リソースセットから該第１端末デバイスのターゲット伝送リソースセットとして１つをランダムに選択し、又は、複数の第２伝送リソースセットの各第２伝送リソースセットに対応する相対運動速度統計情報に基づいて、該複数の第２伝送リソースセットから該第１端末デバイスのターゲット伝送リソースセットを確定してもよい。例えば、該複数の第２伝送リソースセットのうちの最大相対運動速度が最小である第２伝送リソースセットを該第１端末デバイスのターゲット伝送リソースセットとして確定するが、本発明の実施例はこれに限定されない。
【００９５】
上記のように、該第１伝送リソースセットの相対運動速度閾値を満たさない１つ又は複数の端末デバイスは、現在、該第１伝送リソースセットを利用してＤ２Ｄ通信を行う可能性がある。この時、任意的に、該第１端末デバイスは、ターゲット伝送リソースセットを確定する時にこれらの特別な端末デバイスを対象外とする。例えば、該少なくとも１つの第２端末デバイスは、具体的に、現在、該第１伝送リソースセットの伝送リソースを利用してＤ２Ｄ通信を行う端末デバイスのうちの第４端末デバイス以外の全ての他の端末デバイスであり、ここで、該第４端末デバイスが該第１伝送リソースセットの相対運動速度閾値を満たさず、例えば、該第４端末デバイスと該全ての他の端末デバイスとの間の最大相対運動速度が該第１伝送リソースセットの相対運動速度閾値より大きいが、本発明の実施例はこれに限定されない。
【００９６】
任意的に、本発明の実施例において、端末デバイスは、Ｄ２Ｄブロードキャストメッセージに、自分が現在、対応する伝送リソースセットの相対運動速度閾値を満たすかどうかを示すために用いられる指示情報を付けてもよく、ここで、該指示情報は、１つ又は複数のビットを占用する。このように、他の端末デバイスは、該Ｄ２Ｄブロードキャストメッセージによって、ターゲット伝送リソースセットを選択する時に該端末デバイスを考慮するかどうかを確定することができるが、本発明の実施例はこれに限定されない。
【００９７】
任意的に、該伝送リソースの確定装置がネットワークデバイスである場合、該第１端末デバイスのターゲット伝送リソースセットを確定した後、該ネットワークデバイスは、該第１端末デバイスに、該ターゲット伝送リソースセット又はターゲット伝送リソースセットの伝送リソースを示すために用いられる指示情報を送信し、該第１端末デバイスは、該指示情報に基づいて、Ｄ２Ｄ通信を行う時に使用する伝送リソースを確定するが、本発明の実施例はこれに限定されない。
【００９８】
任意的に、本発明の実施例において、該第１端末デバイスがＤ２Ｄ通信を行う時に利用する伝送リソースセットを更新してもよい。例えば、該第１端末デバイスの位置情報を周期的に取得し、該第１端末デバイスが依然として現在、利用している伝送リソースセットの距離閾値を満たすかどうかを確定し、又は、該第１端末デバイスの運動速度情報を取得し、該第１端末デバイスが依然として現在、利用している伝送リソースセットの相対運動速度閾値を満たすかどうかを確定する。任意的に、該第１端末デバイスが依然として現在、利用している伝送リソースセットの要求を満たす場合、該第１端末デバイスが現在の伝送リソースセットの伝送リソースを継続して利用してＤ２Ｄ通信を行い、満たさない場合は伝送リソースセットの再選択を行う。又は、イベントで伝送リソースセットの再選択をトリガーし、例えば、該第１端末デバイスのＤ２Ｄ通信品質がある閾値より低く、又はネットワークデバイスからの伝送リソースセット再選択をトリガーするために用いられる指示情報を受信する場合、該第１端末デバイスは、伝送リソースセットの再選択を行い、又は、ネットワークデバイスは、該第１端末デバイスにより送信された再選択要求を受信した場合、該第１端末デバイスに伝送リソースセットを再選択することができるが、本発明の実施例はこれに限定されない。
【００９９】
本発明の実施例において、方法２００は、第１端末デバイスがＤ２Ｄ通信を行うために、伝送リソースセットの初め選択に適用されてもよいし、伝送リソースセットの再選択に適用されてもよい。任意的に、Ｓ２２０の前に、該第１端末デバイスは、現在、対応する第３伝送リソースセットの距離閾値を満たすかどうかを確定し、該第１端末デバイスが現在、該第３伝送リソースセットの距離閾値を満たさないと確定した場合、Ｓ２２０を実行する。又は、該第１端末デバイスが現在、該第３伝送リソースセットの距離閾値を満たすと確定した場合、さらに、該第１端末デバイスが現在、該第３伝送リソースセットの相対運動速度閾値を満たすかどうかを確定し、さらに、該第１端末デバイスが該第３伝送リソースセットの相対運動速度閾値を満たさないと確定した場合、Ｓ２２０を実行し、本発明の実施例はこれを限定しない。
【０１００】
他の選択的な実施例として、該第１端末デバイスのターゲット伝送リソースセットを確定した後、該第１端末デバイスと該ターゲット伝送リソースセットに対応する少なくとも１つの第５端末デバイスとの間の現在の距離統計情報と相対運動速度統計情報に基づいて、該第１端末デバイスが利用する伝送リソースセットの再選択をトリガーする。任意的に、該第１端末デバイスと該ターゲット伝送リソースセットに対応する少なくとも１つの第５端末デバイスとの間の現在の最大距離と最大相対運動速度に基づいて、又は、該ターゲット伝送リソースセットの距離閾値と最大相対運動速度に基づいて、再選択トリガー時刻を確定し、例えば、該再選択トリガー時刻と現在時刻時間との時間間隔がＤ／Ｃであり、ここで、Ｄが該第１端末デバイスと該少なくとも１つの第５端末デバイスとの間の現在の最大距離であり、Ｃが第１端末デバイスと該少なくとも１つの第５端末デバイスとの間の現在の最大相対運動速度であり、又は、該再選択トリガー時刻と現在時刻時間との時間間隔がＤ０／Ｃであり、ここで、Ｄ０が該ターゲット伝送リソースセットの距離閾値である。次に、該再選択トリガー時刻において、利用可能な複数の伝送リソースセットから該第１端末デバイスのターゲット伝送リソースセットを再選択するようにトリガーするが、本発明の実施例はこれに限定されない。
【０１０１】
なお、本発明の実施例において、伝送リソースセットに対応する少なくとも１つの端末デバイスは、具体的に、現在、該伝送リソースセットを利用してＤ２Ｄ通信を行う全ての端末デバイスであってもよいし、現在、該伝送リソースセットを利用してＤ２Ｄ通信を行う一部の端末デバイスであってもよく、ここで、任意的に、該一部の端末デバイスは、具体的に、該全ての端末デバイスのうちの該伝送リソースセットの相対運動速度閾値を満たさない端末デバイス以外の他の端末デバイスであるが、本発明の実施例はこれに限定されない。
【０１０２】
本発明の実施例において、各伝送リソースセットに距離閾値及び相対運動速度閾値が定義され、端末デバイスの位置情報と運動速度情報、及び各伝送リソースセットの距離閾値と相対運動速度閾値に基づいて、複数の伝送リソースセットから端末デバイスがＤ２Ｄ通信を行う時に利用する伝送リソースセットを確定することで、Ｄ２Ｄ通信のリソース割り当て効率及びＤ２Ｄ通信品質を向上させることができる。
【０１０３】
図４は本発明の実施例におけるＤ２Ｄ通信の伝送リソースを確定する別の方法３００を示し、該方法３００は、第１端末デバイスがＤ２Ｄ通信を行う時に利用する伝送リソースを確定するために用いられる。任意的に、該方法３００は、依然として該第１端末デバイス又はネットワークデバイスにより実行される。
【０１０４】
Ｓ３１０において、第１端末デバイスと第１伝送リソースセットに対応する少なくとも１つの第２端末デバイスとの間の距離情報を取得し、ここで、該少なくとも１つの第２端末デバイスの各第２端末デバイスが現在、該第１伝送リソースセットの伝送リソースを利用してＤ２Ｄ通信を行い、該第１伝送リソースセットは少なくとも１つの伝送リソースブロックを含む。
【０１０５】
任意的に、該第１端末デバイスと第１伝送リソースセットに対応する少なくとも１つの第２端末デバイスとの間の距離情報は、
該第１端末デバイスと該少なくとも１つの第２端末デバイスとの間の距離統計情報を含み、ここで、該距離統計情報は、最大距離、平均距離及び距離平均分散のうちの少なくとも１つを含み、又は、
該第１端末デバイスと該少なくとも１つの第２端末デバイスの各第２端末デバイスとの間の距離を含む。
【０１０６】
１つの選択的な実施例として、該伝送リソースの確定装置がネットワークデバイスである場合、該ネットワークデバイスは、該第１端末デバイスにより送信された測定レポートを受信し、該測定レポートには該第１端末デバイスと該少なくとも１つの第２端末デバイスとの間の距離情報が含まれる。この時、該ネットワークデバイスは、該測定レポートから該第１端末デバイスと該少なくとも１つの第２端末デバイスとの間の距離情報を取得する。
【０１０７】
他の選択的な実施例として、該ネットワークデバイスは、該第１端末デバイスにより送信されたステータスレポートを受信し、ここで、該ステータスレポートには該第１端末デバイスの現在の位置情報が含まれ、この時、該ネットワークデバイスは、該少なくとも１つの第２端末デバイスの各第２端末デバイスの位置情報を取得し、該第１端末デバイスの位置情報と該少なくとも１つの第２端末デバイスの各第２端末デバイスの位置情報に基づいて、該第１端末デバイスと該少なくとも１つの第２端末デバイスとの間の距離情報を確定し、例えば、該第１端末デバイスにより送信されたステータスレポートには、該少なくとも１つの第２端末デバイスの各第２端末デバイスの位置情報が更に含まれ、又は、該ネットワークデバイスは、該少なくとも１つの第２端末デバイスの各第２端末デバイスにより送信されたステータスレポートを受信することができるが、本発明の実施例はこれに限定されない。
【０１０８】
他の選択的な実施例として、該第１端末デバイスと第１伝送リソースセットに対応する少なくとも１つの第２端末デバイスとの間の距離情報は、該第１端末デバイスと該少なくとも１つの第２端末デバイスとの間の距離統計情報を含み、任意的に、該ネットワークデバイスは、該第１端末デバイスにより送信された測定レポートを受信し、該測定レポートには該第１端末デバイスと該少なくとも１つの第２端末デバイスの各第２端末デバイスとの間の距離が含まれる。この時、該ネットワークデバイスは、該第１端末デバイスと該少なくとも１つの第２端末デバイスの各第２端末デバイスとの間の距離に基づいて、該第１端末デバイスと該少なくとも１つの第２端末デバイスとの間の距離統計情報を確定する。
【０１０９】
他の選択的な実施例として、該伝送リソースの確定装置が該第１端末デバイスである場合、該第１端末デバイスは、該少なくとも１つの第２端末デバイスの各第２端末デバイスの位置情報を取得し、該第１端末デバイスの位置情報と該少なくとも１つの第２端末デバイスの各第２端末デバイスの位置情報に基づいて、該第１端末デバイスと該少なくとも１つの第２端末デバイスとの間の距離情報を確定するが、本発明の実施例はこれに限定されない。
【０１１０】
Ｓ３２０において、該第１端末デバイスと該少なくとも１つの第２端末デバイスとの間の距離情報に基づいて、該第１端末デバイスが現在、該第１伝送リソースセットの伝送リソースを利用してＤ２Ｄ通信を行うことができるかどうかを確定する。
【０１１１】
１つの選択的な実施例として、Ｓ３２０において、該第１端末デバイスと該少なくとも１つの第２端末デバイスとの間の距離情報に基づいて、該第１端末デバイスが現在、該第１伝送リソースセットの距離閾値を満たすかどうかを確定する。任意的に、該第１端末デバイスが現在、該第１伝送リソースセットの距離閾値を満たすことを確定した場合、該第１端末デバイスが現在、該第１伝送リソースセットの伝送リソースを利用してＤ２Ｄ通信を行うことができると確定する。この時、任意的に、該第１伝送リソースセットを該第１端末デバイスのターゲット伝送リソースセットとして確定し、又は、該第１伝送リソースセットを該第１端末デバイスの伝送リソースセット候補として確定し、最終に該複数の伝送リソースセットに含まれる少なくとも１つの伝送リソースセット候補から該第１端末デバイスのターゲット伝送リソースセットを確定する。
【０１１２】
他の選択的な実施例として、Ｓ３２０において、該第１端末デバイスと該少なくとも１つの第２端末デバイスとの間の距離情報及び該第１端末デバイスと該少なくとも１つの第２端末デバイスとの間の相対運動速度情報に基づいて、該第１端末デバイスが現在、該第１伝送リソースセットの伝送リソースを利用してＤ２Ｄ通信を行うことができるかどうかを確定する。任意的に、該第１端末デバイスと該少なくとも１つの第２端末デバイスとの間の相対運動速度情報は、該第１端末デバイスと該少なくとも１つの第２端末デバイスとの間の相対運動速度統計情報を含み、ここで、該相対運動速度統計情報は、最大相対運動速度、平均相対運動速度及び相対運動速度平均分散のうちの少なくとも１つを含み、又は、該第１端末デバイスと該少なくとも１つの第２端末デバイスの各第２端末デバイスとの間の相対運動速度を含むが、本発明の実施例はこれに限定されない。
【０１１３】
この時、任意的に、該第１端末デバイスと該少なくとも１つの第２端末デバイスとの間の距離情報に基づいて、該第１端末デバイスが現在、該第１伝送リソースセットの位置閾値を満たすかどうかを確定し、該第１端末デバイスと該少なくとも１つの第２端末デバイスとの間の相対運動速度情報に基づいて、該第１端末デバイスが現在、該第１伝送リソースセットの相対運動速度閾値を満たすかどうかを確定する。任意的に、該第１端末デバイスが現在、該第１伝送リソースセットの距離閾値を満たすとともに、該第１伝送リソースセットの相対運動速度閾値を満たす場合、該第１端末デバイスが現在、該第１伝送リソースセットの伝送リソースを利用してＤ２Ｄ通信を行うことができ、該第１伝送リソースセットを該第１端末デバイスのターゲット伝送リソースセット又は伝送リソースセット候補として確定するが、本発明の実施例はこれに限定されない。
【０１１４】
１つの選択的な実施例として、該距離統計情報は最大距離を含み、該相対運動速度統計情報は最大相対運動速度を含む。この時、該第１端末デバイスと該少なくとも１つの第２端末デバイスとの間の最大距離が該第１伝送リソースセットの距離閾値の以下であり、しかも該第１端末デバイスと該少なくとも１つの第２端末デバイスとの間の最大相対運動速度が該第１伝送リソースセットの相対運動速度閾値の以下である場合、該第１端末デバイスが現在、該第１伝送リソースセットの伝送リソースを利用してＤ２Ｄ通信を行うことができると確定する。
【０１１５】
本発明の実施例において、第１伝送リソースセットに距離閾値と相対運動速度閾値が定義され、端末デバイスと第１伝送リソースセットに対応する少なくとも１つの第２端末デバイスとの距離統計情報及び相対運動速度統計情報に基づいて、該第１端末デバイスが現在、該第１伝送リソースセットの伝送リソースを利用してＤ２Ｄ通信を行うことができるかどうかを確定することで、Ｄ２Ｄ通信のリソース割り当て効率及びＤ２Ｄ通信品質を向上させることができる。
【０１１６】
本発明の実施例は、Ｄ２Ｄ通信の伝送リソースを確定するための他の方法を提供し、前記方法は、第１端末デバイスは該第１端末デバイスの位置情報及び運動速度情報を取得し、該第１端末デバイスはメッセージを送信することを含み、該メッセージには該第１端末デバイスの位置情報及び運動速度情報が含まれる。
【０１１７】
任意的に、該第１端末デバイスはメッセージを送信することは、該第１端末デバイスはＤ２Ｄブロードキャストメッセージを送信すること、又は、該第１端末デバイスはネットワークデバイスに測定レポートメッセージを送信することを含む。
【０１１８】
このように、該メッセージを受信したデバイスは、該第１端末デバイスの位置情報及び運動速度情報に基づいて、該第１端末デバイス又は他の端末デバイスがＤ２Ｄ通信を行う時に利用する伝送リソースセットを確定する。
【０１１９】
１つの選択的な実施例として、該メッセージがＤ２Ｄブロードキャストメッセージである場合、任意的に、該第１端末デバイスは、現在、対応する伝送リソースセットの伝送リソースを利用して該Ｄ２Ｄブロードキャストメッセージを送信し、ここで、該伝送リソースセットは、対応する距離閾値及び相対運動速度閾値を有する。このように、該Ｄ２Ｄブロードキャストメッセージを受信した端末デバイスは、該Ｄ２Ｄブロードキャストメッセージが占用する伝送リソースに基づいて、該第１端末デバイスの現在、対応する伝送リソースセットを確定する。
【０１２０】
他の選択的な実施例として、該メッセージには指示情報更に含まれ、該指示情報は、該第１端末デバイスが現在、対応する伝送リソースセットの相対運動速度閾値を満たすかどうかを指示するために用いられる。
【０１２１】
図５は本発明の実施例の応用シーンの例を示し、ここで、当該シーンにおいて、歩道の歩行者が持つ端末デバイスは、他の端末デバイスとＤ２Ｄ通信を行い、同時に、車道で運転する車両端末デバイスは、他の端末デバイスとＶ２Ｘ通信を行うことが可能である。ここで、Ｔ１時刻において、歩行者１、歩行者２、車両Ａ及び車両Ｂが近く位置しており、歩行者３、歩行者４及び車両Ｃが近く位置しており、歩行者５及び歩行者６が近く位置している。この時、端末デバイスと他の端末デバイスとの間の距離に基づいて端末デバイスが利用する伝送リソースセットを確定する場合、近くに位置する端末デバイスを同一の時間−周波数リソースセットに対応させることができ、それによって、近くに位置する端末デバイス同士の発見確率を効率に向上させ、近遠現象を回避し、即ち、遠くに位置する複数の端末デバイスを同一の伝送リソースセットに割り当てることにより、端末デバイスと近くに位置する他の端末により送信された信号が、端末デバイスと遠くに位置する他の端末により送信された信号により埋もれてしまうことを回避する。
【０１２２】
しかし、車両の移動速度が歩行者の移動速度よりにはるかに早いため、時刻Ｔ１と間隔が短い時刻Ｔ２において、各車両と歩行者との間の相対位置が大きく変化されるようになり、この時、各端末デバイスに対応する伝送リソースセットを再度に調整して、上記近遠現象を回避する必要があり、端末デバイスに対応する伝送リソースセットを頻繁に確定する必要がある。この時、伝送リソースセットを確定する時に端末デバイスの位置情報及び運動速度情報を両方とも考慮する必要になり、即ち、端末デバイスと他の端末デバイスとの間の距離と相対運動速度を共に考慮して、複数の近い車両端末デバイスを同一の伝送リソースセットに対応させ、複数の近い携帯端末デバイスも同一の伝送リソースセットに対応させることで、上記のことを回避する。
【０１２３】
なお、上記各プロセスの番号の大きさが、実行の順番を意味せず、各プロセスの実行順番がその機能及び内部ロジックによって決定されるが、本発明の実施例を限定するものではない。
【０１２４】
以上、図１〜図５を参照し、本発明の実施例におけるＤ２Ｄ通信の伝送リソースを確定するための方法を詳しく説明しており、以下、図６〜図１１を参照し、本発明の実施例におけるＤ２Ｄ通信の伝送リソースを確定するための装置を詳しく説明する。
【０１２５】
図６は本発明の実施例におけるＤ２Ｄ通信の伝送リソースを確定するための装置４００を示す。該装置４００は、第１確定ユニット４１０及び第２確定ユニット４２０を含む。
【０１２６】
第１確定ユニット４１０は、複数の伝送リソースセットを確定するように構成され、ここで、該複数の伝送リソースセットの各伝送リソースセットは、少なくとも１つの伝送リソースブロックを含み、しかも各伝送リソースセットは、対応する距離閾値を有する。
【０１２７】
第２確定ユニット４２０は、第１端末デバイスの現在の位置情報及び該第１確定ユニット４１０により確定された該複数の伝送リソースセットの距離閾値に基づいて、該複数の伝送リソースセットから、該第１端末デバイスがＤ２Ｄ通信を行うターゲット伝送リソースセットを確定するように構成される。
【０１２８】
任意的に、該複数の伝送リソースセットの各伝送リソースセットは、対応する相対運動速度閾値を更に有する。この時、該第２確定ユニット４２０は、具体的に、第１端末デバイスの現在の位置情報と運動速度情報、及び該複数の伝送リソースセットの距離閾値と相対運動速度閾値に基づいて、該複数の伝送リソースセットから該第１端末デバイスがＤ２Ｄ通信を行うターゲット伝送リソースセットを確定するように構成される。
【０１２９】
任意的に、該第２確定ユニット４２０は、具体的に、
第１伝送リソースセットに対応する少なくとも１つの第２端末デバイスの各第２端末デバイスの位置情報及び運動速度情報を取得するように構成され、該少なくとも１つの第２端末デバイスの各第２端末デバイスが現在、第１伝送リソースセットの伝送リソースを利用してＤ２Ｄ通信を行い、該複数の伝送リソースセットは該第１伝送リソースセットを含み、
該第１端末デバイスの現在の位置情報及び該少なくとも１つの第２端末デバイスの各第２端末デバイスの位置情報に基づいて、該第１端末デバイスと該少なくとも１つの第２端末デバイスとの間の距離統計情報を確定し、ここで、該距離統計情報は、最大距離、平均距離及び距離平均分散のうちの少なくとも１つを含み、
該第１端末デバイスの現在の運動速度情報及び該少なくとも１つの第２端末デバイスの各第２端末デバイスの運動速度情報に基づいて、該第１端末デバイスと該少なくとも１つの第２端末デバイスとの間の相対運動速度統計情報を確定し、ここで、該相対運動速度統計情報は、最大相対運動速度、平均相対運動速度及び相対運動速度平均分散のうちの少なくとも１つを含み、
該第１端末デバイスと該少なくとも１つの第２端末デバイスとの間の距離統計情報と相対運動速度統計情報、及び該第１伝送リソースセットの距離閾値と相対運動速度閾値に基づいて、該第１端末デバイスが現在、該第１伝送リソースセットの伝送リソースを利用してＤ２Ｄ通信を行うことができるかどうかを確定するように構成される。
【０１３０】
任意的に、該距離統計情報は最大距離を含み、該相対運動速度統計情報は最大相対運動速度を含む。この時、該第２確定ユニット４２０は、具体的に、該第１端末デバイスと該少なくとも１つの第２端末デバイスとの間の最大距離が該第１伝送リソースセットの距離閾値の以下であり、しかも該第１端末デバイスと該少なくとも１つの第２端末デバイスとの間の最大相対運動速度が該第１伝送リソースセットの相対運動速度閾値の以下である場合、該第１端末デバイスが現在、該第１伝送リソースセットの伝送リソースを利用してＤ２Ｄ通信を行うことができると確定するように構成される。
【０１３１】
任意的に、該第２確定ユニット４２０は、具体的に、該第１端末デバイスが現在、該複数の伝送リソースセットの各伝送リソースセットの相対運動速度閾値を満たさないと確定した場合、少なくとも１つの伝送リソースセット候補のうちの最大相対運動速度が最小である伝送リソースセットを該第１端末デバイスのターゲット伝送リソースセットとして確定するように構成され、ここで、該複数の伝送リソースセットは該少なくとも１つの伝送リソースセット候補を含み、該第１端末デバイスが現在、該少なくとも１つの伝送リソースセット候補の各伝送リソースセット候補の距離閾値を満たし、各伝送リソースセット候補に対応する最大相対運動速度は、該第１端末デバイスと現在、該各伝送リソースセット候補の伝送リソースを使用してＤ２Ｄ通信を行う少なくとも１つの第３端末デバイスとの間の最大相対運動速度である。
【０１３２】
任意的に、該第２確定ユニット４２０は、具体的に、該第１端末デバイスと該少なくとも１つの第２端末デバイスとの間の距離統計情報が該第１伝送リソースセットの距離閾値を満たす場合、該第１端末デバイスの現在の運動速度情報及び該少なくとも１つの第２端末デバイスの各第２端末デバイスの運動速度情報に基づいて、該第１端末デバイスと該少なくとも１つの第２端末デバイスとの間の相対運動速度統計情報を確定するように構成される。
【０１３３】
任意的に、該少なくとも１つの第２端末デバイスは、具体的に、現在、該第１伝送リソースセットの伝送リソースを利用してＤ２Ｄ通信を行う全ての端末デバイスである。
【０１３４】
任意的に、該少なくとも１つの第２端末デバイスは、具体的に、現在、該第１伝送リソースセットの伝送リソースを利用してＤ２Ｄ通信を行う端末デバイスのうちの第４端末デバイス以外の全ての他の端末デバイスであり、ここで、該第４端末デバイスが該第１伝送リソースセットの相対運動速度閾値を満たさない。
【０１３５】
任意的に、該装置４００は、さらに、受信ユニット４３０を含み、受信ユニット４３０は、該少なくとも１つの第２端末デバイスの各第２端末デバイスにより送信されたＤ２Ｄブロードキャストメッセージを受信するように構成され、該Ｄ２Ｄブロードキャストメッセージには該各第２端末デバイスの位置情報及び運動速度情報が含まれ、それに対応し、該第２確定ユニット４２０は、具体的に、該受信ユニット４３０により受信された該Ｄ２Ｄブロードキャストメッセージに基づいて、該各第２端末デバイスの位置情報及び運動速度情報を確定するように構成される。
【０１３６】
任意的に、該第２確定ユニット４２０は、さらに、該少なくとも１つの第２端末デバイスの各第２端末デバイスにより送信されたＤ２Ｄブロードキャストメッセージが占用する伝送リソースに基づいて、該各第２端末デバイスが現在、該第１伝送リソースセットの伝送リソースを利用してＤ２Ｄ通信を行うことを確定するように構成される。
【０１３７】
任意的に、該装置４００はさらに、受信ユニット４３０を含み、受信ユニット４３０は、該少なくとも１つの第２端末デバイスの各第２端末デバイスがセルラ通信リンクを介して送信されたステータスレポートを受信するように構成され、該ステータスレポートには該各第２端末デバイスの位置情報及び運動速度情報が含まれ、それに対応し、該第２確定ユニット４２０は、具体的に、該受信ユニット４３０により受信された該ステータスレポートに基づいて、該各第２端末デバイスの位置情報及び運動速度情報を確定するように構成される。
【０１３８】
任意的に、該第２確定ユニット４２０は、さらに、該複数の伝送リソースセットから該第１端末デバイスがＤ２Ｄ通信を行うターゲット伝送リソースセットを確定する前に、該第１端末デバイスが現在、第２伝送リソースセットの距離閾値を満たすかどうかを確定するように構成され、ここで、該第１端末デバイスが現在、該第２伝送リソースセットの伝送リソースを利用してＤ２Ｄ通信を行う。
【０１３９】
該第２確定ユニット４２０は、具体的に、該第１端末デバイスが現在、該第２伝送リソースセットの距離閾値を満たさないと確定した場合、該複数の伝送リソースセットから該第１端末デバイスのターゲット伝送リソースセットを確定するように構成される。
【０１４０】
任意的に、該第２確定ユニット４２０は、さらに、
該複数の伝送リソースセットから該第１端末デバイスのターゲット伝送リソースセットを確定した後、該第１端末デバイスと該ターゲット伝送リソースセットに対応する少なくとも１つの第５端末デバイスとの間の現在の最大距離及び最大相対運動速度に基づいて、再選択トリガー時刻を確定し、
該再選択トリガー時刻において、利用可能な複数の伝送リソースセットから該第１端末デバイスのターゲット伝送リソースセットを再選択するようにトリガーするように構成される。
【０１４１】
１つの選択的な例において、装置４００は、具体的に、上記実施例の伝送リソースの確定装置であり、例えばネットワークデバイス又は第１端末デバイスであり、該装置４００は、上記方法実施例の各プロセス及び／又はステップを実行するために用いられ、重複を回避するために、ここで説明を省略する。
【０１４２】
図７は本発明の他の実施例におけるＤ２Ｄ通信の伝送リソースを確定するための装置５００を示し、該装置５００は、取得ユニット５１０及び確定ユニット５２０を含む。
【０１４３】
取得ユニット５１０は、第１端末デバイスと第１伝送リソースセットに対応する少なくとも１つの第２端末デバイスとの間の距離情報を取得するように構成され、ここで、該少なくとも１つの第２端末デバイスの各第２端末デバイスが現在、該第１伝送リソースセットの伝送リソースを利用してＤ２Ｄ通信を行い、該第１伝送リソースセットは少なくとも１つの伝送リソースブロックを含む。
【０１４４】
確定ユニット５２０は、該取得ユニット５１０により取得された該第１端末デバイスと該少なくとも１つの第２端末デバイスとの間の距離情報に基づいて、該第１端末デバイスが現在、該第１伝送リソースセットの伝送リソースを利用してＤ２Ｄ通信を行うことができるかどうかを確定するように構成される。
【０１４５】
任意的に、該第１端末デバイスと第１伝送リソースセットに対応する少なくとも１つの第２端末デバイスとの間の距離情報は、該第１端末デバイスと該少なくとも１つの第２端末デバイスとの間の距離統計情報を含み、ここで、該距離統計情報は、最大距離、平均距離及び距離平均分散のうちの少なくとも１つを含み、又は、該第１端末デバイスと該少なくとも１つの第２端末デバイスの各第２端末デバイスとの間の距離を含む。
【０１４６】
任意的に、該確定ユニット５２０は、具体的に、該第１端末デバイスと該少なくとも１つの第２端末デバイスとの間の距離情報及び相対運動速度情報に基づいて、該第１端末デバイスが現在、該第１伝送リソースセットの伝送リソースを利用してＤ２Ｄ通信を行うことができるかどうかを確定するように構成される。
【０１４７】
任意的に、該第１端末デバイスと該少なくとも１つの第２端末デバイスとの間の相対運動速度情報は、該第１端末デバイスと該少なくとも１つの第２端末デバイスとの間の相対運動速度統計情報を含み、ここで、該相対運動速度統計情報は、最大相対運動速度、平均相対運動速度及び相対運動速度平均分散のうちの少なくとも１つを含み、又は、該第１端末デバイスと該少なくとも１つの第２端末デバイスの各第２端末デバイスとの間の相対運動速度を含む。
【０１４８】
任意的に、該確定ユニット５２０は、具体的に、該第１端末デバイスと該少なくとも１つの第２端末デバイスとの間の最大距離が該第１伝送リソースセットの距離閾値の以下であり、しかも該第１端末デバイスと該少なくとも１つの第２端末デバイスとの間の最大相対運動速度が該第１伝送リソースセットの相対運動速度閾値の以下である場合、該第１端末デバイスが現在、該第１伝送リソースセットの伝送リソースを利用してＤ２Ｄ通信を行うことができると確定するように構成される。
【０１４９】
任意的に、該取得ユニット５１０は、具体的に、該第１端末デバイスにより送信された測定レポートを受信するように構成され、該測定レポートには該第１端末デバイスと該少なくとも１つの第２端末デバイスとの間の距離情報が含まれる。
【０１５０】
１つの選択的な例において、装置５００は、具体的に、上記実施例の伝送リソースの確定装置であり、例えばネットワークデバイス又は第１端末デバイスであり、該装置５００は、上記方法実施例の各プロセス及び／又はステップを実行するために用いられ、重複を回避するために、ここで説明を省略する。
【０１５１】
図８は本発明の他の実施例におけるＤ２Ｄ通信の伝送リソースを確定するための装置６００を示し、該装置６００は、取得ユニット６１０及び送信ユニット６２０を含む。
【０１５２】
取得ユニット６１０は、該装置の位置情報及び運動速度情報を取得するように構成される。
【０１５３】
送信ユニット６２０は、メッセージを送信するように構成され、該メッセージには該取得ユニット６１０により取得された位置情報及び運動速度情報が含まれる。
【０１５４】
任意的に、該送信ユニット６２０は、具体的に、Ｄ２Ｄブロードキャストメッセージを送信し、又はネットワークデバイスにステータスレポートメッセージを送信するように構成される。
【０１５５】
任意的に、該メッセージがＤ２Ｄブロードキャストメッセージである場合、該送信ユニット６２０は、具体的に、現在、対応する伝送リソースセットの伝送リソースを利用して該Ｄ２Ｄブロードキャストメッセージを送信するように構成され、ここで、該伝送リソースセットは、対応する距離閾値及び相対運動速度閾値を有する。
【０１５６】
任意的に、該メッセージには指示情報更に含まれ、該指示情報は、該装置が現在、対応する伝送リソースセットの相対運動速度閾値を満たすかどうかを指示するために用いられる。
【０１５７】
１つの選択的な例において、装置６００は、具体的に、上記実施例中的第１端末デバイスであっても良く、該装置６００は、上記方法実施例の各プロセス及び／又はステップを実行するために構成され、重複を回避するために、ここで説明を省略する。
【０１５８】
なお、上記の装置４００は、装置５００及び装置６００のいずれも機能ユニットによって現れる。ここの単語「ユニット」は、特定用途向け集積回路（ＡＳＩＣ：Ａｐｐｌｉｃａｔｉｏｎ  Ｓｐｅｃｉｆｉｃ  Ｉｎｔｅｇｒａｔｅｄ  Ｃｉｒｃｕｉｔ）、電子回路、１つの以上のソフトウェア又はファームウェアプログラムを実行するためのプロセッサ（例えば共有プロセッサ、専用プロセッサ又はグループプロセッサ等）及びメモリー、マージ論理回路及び／又は他の上記機能をサポートする適当な部品であっても良い
図９は本発明の実施例におけるＤ２Ｄ通信の伝送リソースを確定するための装置７００を示す。該装置７００は、プロセッサ７１０和メモリー７２０を含み、ここで、該メモリー７２０に命令が記憶され、該プロセッサ７１０は、該メモリー７２０に記憶される命令を実行するために用いられる。具体的に、該プロセッサ７１０は、
複数の伝送リソースセットを確定し、ここで、該複数の伝送リソースセットの各伝送リソースセットは、少なくとも１つの伝送リソースブロックを含み、しかも各伝送リソースセットは、対応する距離閾値を有し、
第１端末デバイスの現在の位置情報及び該複数の伝送リソースセットの距離閾値に基づいて、該複数の伝送リソースセットから該第１端末デバイスがＤ２Ｄ通信を行うターゲット伝送リソースセットを確定するように構成される。
【０１５９】
任意的に、図９に示すように、該装置７００は、さらに、受信機７３０を含み、受信機７３０は、該少なくとも１つの第２端末デバイスの各第２端末デバイスにより送信されたＤ２Ｄブロードキャストメッセージを受信するように構成され、該Ｄ２Ｄブロードキャストメッセージには該各第２端末デバイスの位置情報及び運動速度情報が含まれ、それに対応し、該プロセッサ７１０は、具体的に、該受信機７３０により受信された該Ｄ２Ｄブロードキャストメッセージに基づいて、該各第２端末デバイスの位置情報及び運動速度情報を確定するように構成される。
【０１６０】
任意的に、該装置７００はさらに受信機７３０を含み、受信機７３０は、該少なくとも１つの第２端末デバイスの各第２端末デバイスがセルラ通信リンクを介して送信したステータスレポートを受信するように構成され、該ステータスレポートには該各第２端末デバイスの位置情報及び運動速度情報が含まれ、それに対応し、該プロセッサ７１０は、具体的に、該受信機７３０により受信された該ステータスレポートに基づいて、該各第２端末デバイスの位置情報及び運動速度情報を確定するように構成される。
【０１６１】
１つの選択的な例において、装置７００は、具体的に、上記実施例の伝送リソースの確定装置であっても良く、例えばネットワークデバイス又は第１端末デバイスであり、上記方法実施例の各プロセス及び／又はステップを実行するために構成される。任意的に、該メモリー７２０は読み取り専用メモリー及びランダムアクセスメモリーを含み、プロセッサに命令及びデータを提供する。メモリー７２０の一部として、不揮発性ランダムアクセスメモリーを含む。例えば、メモリー７２０は、デバイスタイプの情報をさらに記憶する。プロセッサは、メモリーに記憶される命令を実行し、該プロセッサ７１０がメモリー７２０に記憶された命令を実行する場合、該プロセッサ７１０は、上記の方法実施例における各ステップ及び／又はフローチャートを実行する。
【０１６２】
図１０は本発明の他の実施例におけるＤ２Ｄ通信の伝送リソースを確定するための装置８００を示し、該装置８００は、メモリー８１０及びプロセッサ８２０を含み、ここで、該メモリー８１０に命令が記憶され、該プロセッサ８２０は、該メモリー８１０に記憶される命令を実行するために用いられる。具体的に、該プロセッサ８２０は、
第１端末デバイスと第１伝送リソースセットに対応する少なくとも１つの第２端末デバイスとの間の距離情報を取得し、ここで、該少なくとも１つの第２端末デバイスの各第２端末デバイスが現在、該第１伝送リソースセットの伝送リソースを利用してＤ２Ｄ通信を行い、該第１伝送リソースセットは少なくとも１つの伝送リソースブロックを含み、
該第１端末デバイスと該少なくとも１つの第２端末デバイスとの間の距離情報に基づいて、該第１端末デバイスが現在、該第１伝送リソースセットの伝送リソースを利用してＤ２Ｄ通信を行うことができるかどうかを確定するように構成される。
【０１６３】
任意的に、該装置８００は、さらに受信機を含み、受信機は、該第１端末デバイスにより送信された測定レポートを受信するように構成され、該測定レポートには該第１端末デバイスと該少なくとも１つの第２端末デバイスとの間の距離情報が含まれ、それに対応し、該プロセッサは、具体的に、該受信機により受信された該測定レポートから該第１端末デバイスと該少なくとも１つの第２端末デバイスとの間の距離情報を取得するように構成される。
【０１６４】
１つの選択的な例において、装置８００は、具体的に、上記実施例の伝送リソースの確定装置であり、例えばネットワークデバイス又は第１端末デバイスであり、該装置８００は、上記方法実施例の各プロセス及び／又はステップを実行するために用いられ、重複を回避するために、ここで説明を省略する。
【０１６５】
１つの選択的な例において、装置８００は、具体的に、上記実施例の伝送リソースの確定装置であり、例えばネットワークデバイス又は第１端末デバイスであり、上記方法実施例の各プロセス及び／又はステップを実行するために用いられる。任意的に、該メモリー８１０は読み取り専用メモリー及びランダムアクセスメモリーを含み、プロセッサに命令及びデータを提供する。メモリー８１０の一部として、不揮発性ランダムアクセスメモリーを含む。例えば、メモリー８１０は、デバイスタイプの情報をさらに記憶する。プロセッサ８２０は、メモリー８１０に記憶される命令を実行し、該プロセッサ８２０がメモリー８１０に記憶された命令を実行する場合、該プロセッサ８２０は、上記の方法実施例における各ステップ及び／又はフローチャートを実行する。
【０１６６】
図１１は本発明の他の実施例におけるＤ２Ｄ通信の伝送リソースを確定するための装置９００を示し、該装置９００は、プロセッサ９１０及び送信機９２０を含む。
【０１６７】
プロセッサ９１０は、該装置の位置情報及び運動速度情報を取得するように構成される。
【０１６８】
送信機９２０は、メッセージを送信するように構成され、該メッセージには該プロセッサ９１０により取得された位置情報及び運動速度情報が含まれる。
【０１６９】
１つの選択的な例において、装置９００は、具体的に、上記実施例の伝送リソースの確定装置であり、例えばネットワークデバイス又は第１端末デバイスであり、上記方法実施例の各プロセス及び／又はステップを実行するために用いられる。任意的に、該メモリー９００はメモリーを含み、該メモリーが読み取り専用メモリー及びランダムアクセスメモリーを含み、プロセッサに命令及びデータを提供する。メモリーの一部として、不揮発性ランダムアクセスメモリーを含む。例えば、メモリーは、デバイスタイプの情報をさらに記憶する。プロセッサは、メモリーに記憶される命令を実行し、該プロセッサがメモリーに記憶された命令を実行する場合、該プロセッサは、上記の方法実施例における各ステップ及び／又はフローチャートを実行する。
【０１７０】
なお、本発明の実施例において、該プロセッサは、中央処理ユニット（ＣＰＵ：Ｃｅｎｔｒａｌ  Ｐｒｏｃｅｓｓｉｎｇ  Ｕｎｉｔ）、汎用プロセッサ、デジタル信号プロセッサ（ＤＳＰ）、特定用途向け集積回路（ＡＳＩＣ）、フィールドプログラマブルゲートアレイ（ＦＰＧＡ）又は他のプログラマブルロジックデバイス、ディスクリートゲート又はトランジスタロジックデバイス、ディスクリートハードウェア部材であってもよい。汎用プロセッサはマイクロプロセッサであってもよく又は該プロセッサはいずれかの従来のプロセッサなどであってもよい。
【０１７１】
実現の過程において、上記の方法のステップは、プロセッサにおけるハードウェアの集積ロジック回路又はソフトウェアモジュール形態の命令よって実現することができる。本発明の実施例に開示された方法のステップはハードウェアプロセッサによって実行されて完了され、又は復号プロセッサにおけるハードウェアモジュール及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒質はメモリに位置し、プロセッサはメモリにおける情報を読み取り、そのハードウェアと組み合わせて上記方法のステップを完了する。重複を回避するために、ここで省略する。
【０１７２】
なお、分かりやすくするために、ここの実施例の記載は、各実施例の間の相違点を強調し、同じ又は類する内容を相互参照することができる。
【０１７３】
当業者であれば、本明細書に開示された実施例と組み合わせて説明された各例のユニット及びアルゴリズムステップは、電子ハードウェア、又はコンピュータソフトウェアと電子ハードウェアとの組み合わせで実現されてもよいと理解できる。ハードウェアとソフトウェアとの互換性を明確に説明するために、以上、機能に従って各実施例のステップ及び構成を説明する。これらの機能がハードウェア又はソフトウェアで実行されるかどうかは技術的解決策の特定アプリケーションと設計約束条件に依存する。専門技術者は各特定のアプリケーションに対して異なる方法を使用して説明された機能を実現することができるが、このような実現は本発明の範囲を超えていると考えられるべきではない。
【０１７４】
当業者は便利且つ簡潔で説明するために、上述したシステム、装置とユニットの具体的な動作プロセスについて上記方法の実施例における対応するプロセスを参照でき、ここでは説明を省略することを明確に理解することができる。
【０１７５】
本出願が提供するいくつかの実施例では、開示されたシステム、装置および方法は他の方式により実現されてもよいと理解すべきである。上述した装置の実施例は例示的なものだけであり、例えば、前記ユニットの区分はロジック機能的区分だけであり、実際に実施する時に他の区分方式もあり得て、例えば複数のユニットまたは部材は組み合わせられてもよくまたは別のシステムに統合されてもよく、又はいくつかの特徴は無視されてもよく、又は実行されなくてもよい。また、示されるまたは議論される相互結合又は直接結合又は通信接続はいくつかのインターフェース、装置又はユニットを介する間接的結合又は通信接続であってもよく、電気的、機械的又は他の形態であってもよい。
【０１７６】
分離部材として説明された前記ユニットは物理的に分離するものであってもよくまたは物理的に分離するものでなくてもよく、ユニットとして表示された部材は物理的ユニットであってもよくまたは物理的ユニットでなくてもよく、すなわち一つの箇所に位置してもよく、又は複数のネットワークユニットに分布してもよい。実際のニーズに応じてその中の一部または全てのユニットを選択して本実施例の解決策の目的を達成することができる。
【０１７７】
また、本発明の各実施例における各機能ユニットは一つの処理ユニットに統合されてもよく、個々のユニットは単独で物理的に存在してもよく、二つまたは二つ以上のユニットは一つのユニットに統合されてもよい。
【０１７８】
前記ユニットはソフトウェア機能ユニットの形態で実現され且つ独立した製品として販売または使用される場合，一つのコンピュータ読み取り可能な記憶媒体に格納されてもよい。このような理解に基づき，本発明の技術的解決策は本質的にソフトウェア製品の形態で実現されてもよく、又は従来技術に貢献する部分又は該技術的解決策の部分がソフトウェア製品の形態で実現されてもよく、該コンピュータソフトウェア製品は一台のコンピュータ装置（パーソナルコンピュータ、サーバ、又はネットワーク装置などあってもよい）に本発明の各実施例に記載の方法の全部又は一部のステップを実行させるためのいくつかのコマンドを含む記憶媒体に記憶する。前記記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【０１７９】
以上は、本発明の最適的な実施例に過ぎず、本発明を制限せず、本分野の当業者に対して、本発明が各種類の変更と変化がある。本発明の主旨精神と原則以内に、いかなる改修、同等入れ替わり、改良等が、本発明の保護範囲以内に含まれるべきである。
【図１】
2019512905.tif 000006
【図２】
2019512905.tif 000007
【図３】
2019512905.tif 000008
【図４】
2019512905.tif 000009
【図５】
2019512905.tif 000010
【図６】
2019512905.tif 000011
【図７】
2019512905.tif 000012
【図８】
2019512905.tif 000013
【図９】
2019512905.tif 000014
【図１０】
2019512905.tif 000015
【図１１】
2019512905.tif 000016
【手続補正書】
【提出日】平成30年10月3日(2018.10.3)
【手続補正１】
【補正対象書類名】特許請求の範囲
【補正対象項目名】全文
【補正方法】変更
【補正の内容】
【特許請求の範囲】
【請求項１】
デバイスツーデバイスＤ２Ｄ通信の伝送リソースを確定するための方法であって、
複数の伝送リソースセットを確定することと、
第１端末デバイスの現在の位置情報及び前記複数の伝送リソースセットの距離閾値に基づいて、前記複数の伝送リソースセットから、前記第１端末デバイスがＤ２Ｄ通信を行うターゲット伝送リソースセットを確定することと、を含み、
ここで、前記複数の伝送リソースセットの各伝送リソースセットは、少なくとも１つの伝送リソースブロックを含み、しかも各伝送リソースセットは、対応する距離閾値を有する、方法。
【請求項２】
前記複数の伝送リソースセットの各伝送リソースセットは、対応する相対運動速度閾値を更に有し、
前記第１端末デバイスの現在の位置情報及び前記複数の伝送リソースセットの距離閾値に基づいて、前記複数の伝送リソースセットから、前記第１端末デバイスがＤ２Ｄ通信を行うターゲット伝送リソースセットを確定することは、
第１端末デバイスの現在の位置情報と運動速度情報、及び前記複数の伝送リソースセットの距離閾値と相対運動速度閾値に基づいて、前記複数の伝送リソースセットから、前記第１端末デバイスがＤ２Ｄ通信を行うターゲット伝送リソースセットを確定することを含む、
請求項１に記載の方法。
【請求項３】
前記第１端末デバイスの現在の位置情報と運動速度情報、及び前記複数の伝送リソースセットの距離閾値と相対運動速度閾値に基づいて、前記複数の伝送リソースセットから、前記第１端末デバイスがＤ２Ｄ通信を行うターゲット伝送リソースセットを確定することは、
第１伝送リソースセットに対応する少なくとも１つの第２端末デバイスの各第２端末デバイスの位置情報及び運動速度情報を取得することと、
前記第１端末デバイスの現在の位置情報及び前記少なくとも１つの第２端末デバイスの各第２端末デバイスの位置情報に基づいて、前記第１端末デバイスと前記少なくとも１つの第２端末デバイスとの間の距離統計情報を確定することと、
前記第１端末デバイスの現在の運動速度情報及び前記少なくとも１つの第２端末デバイスの各第２端末デバイスの運動速度情報に基づいて、前記第１端末デバイスと前記少なくとも１つの第２端末デバイスとの間の相対運動速度統計情報を確定することと、
前記第１端末デバイスと前記少なくとも１つの第２端末デバイスとの間の距離統計情報と相対運動速度統計情報、及び前記第１伝送リソースセットの距離閾値と相対運動速度閾値に基づいて、前記第１端末デバイスが現在、前記第１伝送リソースセットの伝送リソースを利用してＤ２Ｄ通信を行うことができるかどうかを確定することと、を含み、
前記少なくとも１つの第２端末デバイスの各第２端末デバイスが現在、第１伝送リソースセットの伝送リソースを使用してＤ２Ｄ通信を行い、前記複数の伝送リソースセットは、前記第１伝送リソースセットを含み、
前記距離統計情報は、最大距離、平均距離及び距離平均分散のうちの少なくとも１つを含み、
前記相対運動速度統計情報は、最大相対運動速度、平均相対運動速度及び相対運動速度平均分散のうちの少なくとも１つを含む、
請求項２に記載の方法。
【請求項４】
前記距離統計情報は、最大距離を含み、前記相対運動速度統計情報は、最大相対運動速度を含み、
前記第１端末デバイスと前記少なくとも１つの第２端末デバイスとの間の距離統計情報と相対運動速度統計情報、及び前記第１伝送リソースセットの距離閾値と相対運動速度閾値に基づいて、前記第１端末デバイスが現在、前記第１伝送リソースセットの伝送リソースを利用してＤ２Ｄ通信を行うことができるかどうかを確定することは、
前記第１端末デバイスと前記少なくとも１つの第２端末デバイスとの間の最大距離が前記第１伝送リソースセットの距離閾値の以下であり、しかも前記第１端末デバイスと前記少なくとも１つの第２端末デバイスとの間の最大相対運動速度が前記第１伝送リソースセットの相対運動速度閾値の以下である場合、前記第１端末デバイスが現在、前記第１伝送リソースセットの伝送リソースを利用してＤ２Ｄ通信を行うことができると確定することを含み、
前記第１端末デバイスの現在の位置情報と運動速度情報、及び前記複数の伝送リソースセットの距離閾値と相対運動速度閾値に基づいて、前記複数の伝送リソースセットから、前記第１端末デバイスがＤ２Ｄ通信を行うターゲット伝送リソースセットを確定することは、さらに、
前記第１端末デバイスが現在、前記複数の伝送リソースセットの各伝送リソースセットの相対運動速度閾値を満たさないと確定した場合、少なくとも１つの伝送リソースセット候補のうちの最大相対運動速度が最小である伝送リソースセットを前記第１端末デバイスのターゲット伝送リソースセットとして確定することを含み、
ここで、前記複数の伝送リソースセットは、前記少なくとも１つの伝送リソースセット候補を含み、前記第１端末デバイスが現在、前記少なくとも１つの伝送リソースセット候補の各伝送リソースセット候補の距離閾値を満たし、各伝送リソースセット候補に対応する最大相対運動速度は、前記第１端末デバイスと現在、前記各伝送リソースセット候補の伝送リソースを使用してＤ２Ｄ通信を行う少なくとも１つの第３端末デバイスとの間の最大相対運動速度である、
請求項３に記載の方法。
【請求項５】
前記第１端末デバイスの現在の運動速度情報及び前記少なくとも１つの第２端末デバイスの各第２端末デバイスの運動速度情報に基づいて、前記第１端末デバイスと前記少なくとも１つの第２端末デバイスとの間の相対運動速度統計情報を確定することは、
前記第１端末デバイスと前記少なくとも１つの第２端末デバイスとの間の距離統計情報が前記第１伝送リソースセットの距離閾値を満たす場合、前記第１端末デバイスの現在の運動速度情報及び前記少なくとも１つの第２端末デバイスの各第２端末デバイスの運動速度情報に基づいて、前記第１端末デバイスと前記少なくとも１つの第２端末デバイスとの間の相対運動速度統計情報を確定することを含む、
請求項３又は４に記載の方法。
【請求項６】
前記少なくとも１つの第２端末デバイスは、現在、前記第１伝送リソースセットの伝送リソースを利用してＤ２Ｄを行う全ての端末デバイスである、
請求項３乃至５のいずれか１項に記載の方法。
【請求項７】
前記少なくとも１つの第２端末デバイスは、現在、前記第１伝送リソースセットの伝送リソースを使用してＤ２Ｄ通信を行う端末デバイスのうちの第４端末デバイス以外の全ての他端末デバイスであり、ここで、前記第４端末デバイスが前記第１伝送リソースセットの相対運動速度閾値を満たさない、
請求項３乃至５のいずれか１項に記載の方法。
【請求項８】
前記第１伝送リソースセットに対応する少なくとも１つの第２端末デバイスの各第２端末デバイスの位置情報及び運動速度情報を取得することは、
前記少なくとも１つの第２端末デバイスの各第２端末デバイスにより送信されたＤ２Ｄブロードキャストメッセージを受信することを含み、
前記Ｄ２Ｄブロードキャストメッセージには、前記各第２端末デバイスの位置情報及び運動速度情報が含まれ、
前記方法は、
前記少なくとも１つの第２端末デバイスの各第２端末デバイスにより送信されたＤ２Ｄブロードキャストメッセージが占用する伝送リソースに基づいて、前記各第２端末デバイスが現在、前記第１伝送リソースセットの伝送リソースを利用してＤ２Ｄ通信を行うと確定することをさらに含む、
請求項３乃至７のいずれか１項に記載の方法。
【請求項９】
前記第１伝送リソースセットに対応する少なくとも１つの第２端末デバイスの各第２端末デバイスの位置情報及び運動速度情報を取得することは、
前記少なくとも１つの第２端末デバイスの各第２端末デバイスがセルラ通信リンクを介して送信したステータスレポートを受信することを含み、
前記ステータスレポートには、前記各第２端末デバイスの位置情報及び運動速度情報が含まれる、
請求項３乃至７のいずれか１項に記載の方法。
【請求項１０】
前記複数の伝送リソースセットから、前記第１端末デバイスがＤ２Ｄ通信を行うターゲット伝送リソースセットを確定する前に、前記方法は、さらに、
前記第１端末デバイスが現在、第２伝送リソースセットの距離閾値を満たすかどうかを確定することを含み、
ここで、前記第１端末デバイスが現在、前記第２伝送リソースセットの伝送リソースを利用してＤ２Ｄ通信を行い、
前記複数の伝送リソースセットから、前記第１端末デバイスがＤ２Ｄ通信を行うターゲット伝送リソースセットを確定することは、
前記第１端末デバイスが現在、前記第２伝送リソースセットの距離閾値を満たさない場合、前記複数の伝送リソースセットから前記第１端末デバイスのターゲット伝送リソースセットを確定することを含み、
前記複数の伝送リソースセットから前記第１端末デバイスのターゲット伝送リソースセットを確定した後、前記方法は、さらに、
前記第１端末デバイスと前記ターゲット伝送リソースセットに対応する少なくとも１つの第５端末デバイスとの間の現在の最大距離及び最大相対運動速度に基づいて、再選択トリガー時刻を確定することと、
前記再選択トリガー時刻において、利用可能な複数の伝送リソースセットから前記第１端末デバイスのターゲット伝送リソースセットを再選択するようにトリガーすることと、を含む、
請求項１乃至９のいずれか１項に記載の方法。
【請求項１１】
デバイスツーデバイスＤ２Ｄ通信の伝送リソースを確定するための方法であって、
第１端末デバイスと第１伝送リソースセットに対応する少なくとも１つの第２端末デバイスとの間の距離情報を取得することと、
前記第１端末デバイスと前記少なくとも１つの第２端末デバイスとの間の距離情報に基づいて、前記第１端末デバイスが現在、前記第１伝送リソースセットの伝送リソースを利用してＤ２Ｄ通信を行うことができるかどうかを確定することと、を含み、
ここで、前記少なくとも１つの第２端末デバイスの各第２端末デバイスが現在、前記第１伝送リソースセットの伝送リソースを利用してＤ２Ｄ通信を行い、前記第１伝送リソースセットは、少なくとも１つの伝送リソースブロックを含む、方法。
【請求項１２】
デバイスツーデバイスＤ２Ｄ通信の伝送リソースを確定するための方法であって、
第１端末デバイスは前記第１端末デバイスの位置情報及び運動速度情報を取得することと、
前記第１端末デバイスはメッセージを送信することとを含み、
前記メッセージには、前記第１端末デバイスの位置情報及び運動速度情報が含まれる、方法。
【国際調査報告】
2019512905.tif 000017
2019512905.tif 000018
2019512905.tif 000019
2019512905.tif 000020